(57)【特許請求の範囲】
【請求項１】
基地局のワイヤレス通信の方法であって、
デバイス向けのダウンリンク許可を生成することと、前記ダウンリンク許可が、データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、
前記デバイスに前記ダウンリンク許可を送信することと
を備える、方法。
【請求項２】
前記送信されたダウンリンク許可に基づいて、前記アップリンクリソースの第１のサブセット内で第１のアップリンク送信を前記デバイスから受信することと、
前記受信された第１のアップリンク送信に基づいて、第１の電力制御コマンドを生成することと、
前記ダウンリンクリソースの第１のサブセット内で前記第１の電力制御コマンドを前記デバイスに送信することと
をさらに備える、請求項１に記載の方法。
【請求項３】
前記送信されたダウンリンク許可に基づいて、および前記送信された第１の電力制御コマンドに基づいて、前記アップリンクリソースの第２のサブセット内で第２のアップリンク送信を前記デバイスから受信することと、
前記受信された第２のアップリンク送信に基づいて、第２の電力制御コマンドを生成することと、
前記ダウンリンクリソースの第２のサブセット内で前記第２の電力制御コマンドを前記デバイスに送信することと
をさらに備える、請求項２に記載の方法。
【請求項４】
前記送信されたダウンリンク許可に基づいて、および送信された第（ｎ−１）の電力制御コマンドに基づいて、前記アップリンクリソースの第ｎのサブセット内で第ｎのアップリンク送信を前記デバイスから受信することと、
前記受信された第ｎのアップリンク送信に基づいて、第ｎの電力制御コマンドを生成することと、
前記ダウンリンクリソースの第ｎのサブセット内で前記第ｎの電力制御コマンドを前記デバイスに送信することと、ここにおいて、ｎが２よりも大きいかまたはそれに等しい、
をさらに備える、請求項２に記載の方法。
【請求項５】
前記ダウンリンク許可が、前記アップリンクリソースの第１のサブセット内での第１のアップリンク送信用の電力制御コマンドを含む、請求項１に記載の方法。
【請求項６】
前記データセグメントの各々についてのサイズを決定すること、ここにおいて、前記アップリンクリソースの前記サブセットが、前記データセグメントの各々についての前記サイズに基づいて、データセグメントを送信するために割り振られる、
をさらに備える、請求項１に記載の方法。
【請求項７】
前記データセグメントの各々の前記サイズが、データトラフィック、前記デバイスへの経路損失、送信ブロックのサイズ、またはノイズレベルのうちの少なくとも１つに基づいて決定される、請求項６に記載の方法。
【請求項８】
第２のデバイス向けの第２のダウンリンク許可を生成することと、前記ダウンリンク許可が、第２のデータセグメントを送信するための前記アップリンクリソースの他のサブセットと、前記第２のデバイス向けの電力制御コマンドを受信するための前記ダウンリンクリソースの他のサブセットとを前記第２のデバイスに示し、前記アップリンクリソースの前記他のサブセットが、前記ダウンリンクリソースの前記他のサブセットと並行せず、前記アップリンクリソースの前記サブセットと並行しない、
前記第２のデバイスに前記第２のダウンリンク許可を送信することと
をさらに備える、請求項１に記載の方法。
【請求項９】
前記送信されたダウンリンク許可に基づいて、前記アップリンクリソースの第１のサブセット内で第１のアップリンク送信を前記デバイスから受信することと、
前記受信された第１のアップリンク送信に基づいて、前記デバイス向けの第１の電力制御コマンドを生成することと、
前記送信された第２のダウンリンク許可に基づいて、前記アップリンクリソースの第２のサブセット内で第２のアップリンク送信を前記第２のデバイスから受信しながら、前記ダウンリンクリソースの前記第１のサブセット内で前記第１の電力制御コマンドを前記デバイスに送信することと
をさらに備える、請求項８に記載の方法。
【請求項１０】
前記受信された第２のアップリンク送信に基づいて、前記第２のデバイス向けの第２の電力制御コマンドを生成することと、
前記送信されたダウンリンク許可に基づいて、および前記送信された第１の電力制御コマンドに基づいて、前記アップリンクリソースの第３のサブセット内で第３のアップリンク送信を前記デバイスから受信しながら、前記ダウンリンクリソースの第２のサブセット内で前記第２のデバイス向けの前記第２の電力制御コマンドを前記第２のデバイスに送信することと
をさらに備える、請求項９に記載の方法。
【請求項１１】
前記受信された第３のアップリンク送信に基づいて、前記デバイス向けの第３の電力制御コマンドを生成することと、
前記送信された第２のダウンリンク許可に基づいて、および前記送信された第２の電力制御コマンドに基づいて、前記アップリンクリソースの第４のサブセット内で第４のアップリンク送信を前記第２のデバイスから受信しながら、前記ダウンリンクリソースの第３のサブセット内で前記デバイス向けの前記第３の電力制御コマンドを前記デバイスに送信することと
をさらに備える、請求項１０に記載の方法。
【請求項１２】
前記受信された第ｎのアップリンク送信に基づいて、前記第２のデバイス向けの第ｎの電力制御コマンドを生成することと、
前記送信されたダウンリンク許可に基づいて、および送信された第（ｎ−１）の電力制御コマンドに基づいて、前記アップリンクリソースの第（ｎ＋１）のサブセット内で第（ｎ＋１）のアップリンク送信を前記デバイスから受信しながら、前記ダウンリンクリソースの第ｎのサブセット内で前記第２のデバイス向けの前記第ｎの電力制御コマンドを前記第２のデバイスに送信することと、
前記受信された第（ｎ＋１）のアップリンク送信に基づいて、前記デバイス向けの第（ｎ＋１）の電力制御コマンドを生成することと、
前記送信されたダウンリンク許可に基づいて、および前記送信された第ｎの電力制御コマンドに基づいて、前記アップリンクリソースの第（ｎ＋２）のサブセット内で第（ｎ＋２）のアップリンク送信を前記第２のデバイスから受信しながら、前記ダウンリンクリソースの第（ｎ＋１）のサブセット内で前記デバイス向けの前記第（ｎ＋１）の電力制御コマンドを前記デバイスに送信することと、ここにおいて、ｎが２よりも大きいかまたはそれに等しい偶数である、
をさらに備える、請求項９に記載の方法。
【請求項１３】
デバイスのワイヤレス通信の方法であって、
データの送信ブロックをデータセグメントに分割することと、
前記データセグメントを通信するためのアップリンクリソースに対する要求を送信することと、
前記デバイス向けのダウンリンク許可を受信することと、前記ダウンリンク許可が、前記データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、
を備える、方法。
【請求項１４】
前記受信されたダウンリンク許可に基づいて、前記アップリンクリソースの第１のサブセット内で第１のアップリンク送信を基地局に送信することと、
前記ダウンリンクリソースの第１のサブセット内で第１の電力制御コマンドを前記基地局から受信することと、ここにおいて、前記第１の電力制御コマンドが、前記送信された第１のアップリンク送信に基づく、
をさらに備える、請求項１３に記載の方法。
【請求項１５】
前記受信されたダウンリンク許可に基づいて、および前記受信された第１の電力制御コマンドに基づいて、前記アップリンクリソースの第２のサブセット内で第２のアップリンク送信を前記基地局に送信することと、
前記ダウンリンクリソースの第２のサブセット内で第２の電力制御コマンドを前記基地局から受信することと、ここにおいて、前記第２の電力制御コマンドが、前記送信された第２のアップリンク送信に基づく、
をさらに備える、請求項１４に記載の方法。
【請求項１６】
前記受信されたダウンリンク許可に基づいて、および受信された第（ｎ−１）の電力制御コマンドに基づいて、前記アップリンクリソースの第ｎのサブセット内で第ｎのアップリンク送信を前記基地局に送信することと、
前記ダウンリンクリソースの第ｎのサブセット内で前記第ｎの電力制御コマンドを前記基地局から受信することと、ここにおいて、前記第ｎの電力制御コマンドが、前記送信された第ｎのアップリンク送信に基づき、ここにおいて、ｎが２よりも大きいかまたはそれに等しい、
をさらに備える、請求項１４に記載の方法。
【請求項１７】
前記ダウンリンク許可が、前記アップリンクリソースの第１のサブセット内での第１のアップリンク送信用の電力制御コマンドを含む、請求項１３に記載の方法。
【請求項１８】
前記デバイスへの前記データセグメントの各々についてのサイズを受信すること、ここにおいて、データの前記送信ブロックが、前記データセグメントの各々についての前記サイズに基づいて前記データセグメントに分割される、
をさらに備える、請求項１３に記載の方法。
【請求項１９】
前記データセグメントの各々の前記サイズが、データトラフィック、前記デバイスへの経路損失、送信ブロックのサイズ、またはノイズレベルのうちの少なくとも１つに基づいて決定される、請求項１８に記載の方法。
【請求項２０】
ワイヤレス通信のための基地局であって、
デバイス向けのダウンリンク許可を生成するための手段と、前記ダウンリンク許可が、データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、
前記デバイスに前記ダウンリンク許可を送信するための手段と
を備える、基地局。
【請求項２１】
前記送信されたダウンリンク許可に基づいて、前記アップリンクリソースの第１のサブセット内で第１のアップリンク送信を前記デバイスから受信するための手段と、
前記受信された第１のアップリンク送信に基づいて、第１の電力制御コマンドを生成するための手段と、
前記ダウンリンクリソースの第１のサブセット内で前記第１の電力制御コマンドを前記デバイスに送信するための手段と
をさらに備える、請求項２０に記載の基地局。
【請求項２２】
前記送信されたダウンリンク許可に基づいて、および前記送信された第１の電力制御コマンドに基づいて、前記アップリンクリソースの第２のサブセット内で第２のアップリンク送信を前記デバイスから受信するための手段と、
前記受信された第２のアップリンク送信に基づいて、第２の電力制御コマンドを生成するための手段と、
前記ダウンリンクリソースの第２のサブセット内で前記第２の電力制御コマンドを前記デバイスに送信するための手段と
をさらに備える、請求項２１に記載の基地局。
【請求項２３】
前記送信されたダウンリンク許可に基づいて、および送信された第（ｎ−１）の電力制御コマンドに基づいて、前記アップリンクリソースの第ｎのサブセット内で第ｎのアップリンク送信を前記デバイスから受信するための手段と、
前記受信された第ｎのアップリンク送信に基づいて、第ｎの電力制御コマンドを生成するための手段と、
前記ダウンリンクリソースの第ｎのサブセット内で前記第ｎの電力制御コマンドを前記デバイスに送信するための手段と、ここにおいて、ｎが２よりも大きいかまたはそれに等しい、
をさらに備える、請求項２１に記載の基地局。
【請求項２４】
前記ダウンリンク許可が、前記アップリンクリソースの第１のサブセット内での第１のアップリンク送信用の電力制御コマンドを含む、請求項２０に記載の基地局。
【請求項２５】
前記データセグメントの各々についてのサイズを決定するための手段、ここにおいて、前記アップリンクリソースの前記サブセットが、前記データセグメントの各々についての前記サイズに基づいてデータセグメントを送信するために割り振られる、
をさらに備える、請求項２０に記載の基地局。
【請求項２６】
前記データセグメントの各々の前記サイズが、データトラフィック、前記デバイスへの経路損失、送信ブロックのサイズ、またはノイズレベルのうちの少なくとも１つに基づいて決定される、請求項２５に記載の基地局。
【請求項２７】
第２のデバイス向けの第２のダウンリンク許可を生成するための手段と、前記ダウンリンク許可が、第２のデータセグメントを送信するための前記アップリンクリソースの他のサブセットと、前記第２のデバイス向けの電力制御コマンドを受信するための前記ダウンリンクリソースの他のサブセットとを前記第２のデバイスに示し、前記アップリンクリソースの前記他のサブセットが、前記ダウンリンクリソースの前記他のサブセットと並行せず、前記アップリンクリソースの前記サブセットと並行しない、
前記第２のデバイスに前記第２のダウンリンク許可を送信するための手段と
をさらに備える、請求項２０に記載の基地局。
【請求項２８】
前記送信されたダウンリンク許可に基づいて、前記アップリンクリソースの第１のサブセット内で第１のアップリンク送信を前記デバイスから受信するための手段と、
前記受信された第１のアップリンク送信に基づいて、前記デバイス向けの第１の電力制御コマンドを生成するための手段と、
前記送信された第２のダウンリンク許可に基づいて、前記アップリンクリソースの第２のサブセット内で第２のアップリンク送信を前記第２のデバイスから受信しながら、前記ダウンリンクリソースの前記第１のサブセット内で前記第１の電力制御コマンドを前記デバイスに送信するための手段と
をさらに備える、請求項２７に記載の基地局。
【請求項２９】
前記受信された第２のアップリンク送信に基づいて、前記第２のデバイス向けの第２の電力制御コマンドを生成するための手段と、
前記送信されたダウンリンク許可に基づいて、および前記送信された第１の電力制御コマンドに基づいて、前記アップリンクリソースの第３のサブセット内で第３のアップリンク送信を前記デバイスから受信しながら、前記ダウンリンクリソースの第２のサブセット内で前記第２のデバイス向けの前記第２の電力制御コマンドを前記第２のデバイスに送信するための手段と
をさらに備える、請求項２８に記載の基地局。
【請求項３０】
前記受信された第３のアップリンク送信に基づいて、前記デバイス向けの第３の電力制御コマンドを生成するための手段と、
前記送信された第２のダウンリンク許可に基づいて、および前記送信された第２の電力制御コマンドに基づいて、前記アップリンクリソースの第４のサブセット内で第４のアップリンク送信を前記第２のデバイスから受信しながら、前記ダウンリンクリソースの第３のサブセット内で前記デバイス向けの前記第３の電力制御コマンドを前記デバイスに送信するための手段と
をさらに備える、請求項２９に記載の基地局。
【請求項３１】
前記受信された第ｎのアップリンク送信に基づいて、前記第２のデバイス向けの第ｎの電力制御コマンドを生成するための手段と、
前記送信されたダウンリンク許可に基づいて、および送信された第（ｎ−１）の電力制御コマンドに基づいて、前記アップリンクリソースの第（ｎ＋１）のサブセット内で第（ｎ＋１）のアップリンク送信を前記デバイスから受信しながら、前記ダウンリンクリソースの第ｎのサブセット内で前記第２のデバイス向けの前記第ｎの電力制御コマンドを前記第２のデバイスに送信するための手段と、
前記受信された第（ｎ＋１）のアップリンク送信に基づいて、前記デバイス向けの第（ｎ＋１）の電力制御コマンドを生成するための手段と、
前記送信されたダウンリンク許可に基づいて、および前記送信された第ｎの電力制御コマンドに基づいて、前記アップリンクリソースの第（ｎ＋２）のサブセット内で第（ｎ＋２）のアップリンク送信を前記第２のデバイスから受信しながら、前記ダウンリンクリソースの第（ｎ＋１）のサブセット内で前記デバイス向けの前記第（ｎ＋１）の電力制御コマンドを前記デバイスに送信するための手段と、ここにおいて、ｎが２よりも大きいかまたはそれに等しい偶数である、
をさらに備える、請求項２８に記載の基地局。
【請求項３２】
ワイヤレス通信のためのデバイスであって、
データの送信ブロックをデータセグメントに分割するための手段と、
前記データセグメントを通信するためのアップリンクリソースに対する要求を送信するための手段と、
前記デバイス向けのダウンリンク許可を受信するための手段と、前記ダウンリンク許可が、前記データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、
を備える、デバイス。
【請求項３３】
前記受信されたダウンリンク許可に基づいて、前記アップリンクリソースの第１のサブセット内で第１のアップリンク送信を基地局に送信するための手段と、
前記ダウンリンクリソースの第１のサブセット内で第１の電力制御コマンドを前記基地局から受信するための手段と、ここにおいて、前記第１の電力制御コマンドが、前記送信された第１のアップリンク送信に基づく、
をさらに備える、請求項３２に記載のデバイス。
【請求項３４】
前記受信されたダウンリンク許可に基づいて、および前記受信された第１の電力制御コマンドに基づいて、前記アップリンクリソースの第２のサブセット内で第２のアップリンク送信を前記基地局に送信するための手段と、
前記ダウンリンクリソースの第２のサブセット内で第２の電力制御コマンドを前記基地局から受信するための手段と、ここにおいて、前記第２の電力制御コマンドが、前記送信された第２のアップリンク送信に基づく、
をさらに備える、請求項３３に記載のデバイス。
【請求項３５】
前記受信されたダウンリンク許可に基づいて、および受信された第（ｎ−１）の電力制御コマンドに基づいて、前記アップリンクリソースの第ｎのサブセット内で第ｎのアップリンク送信を前記基地局に送信するための手段と、
前記ダウンリンクリソースの第ｎのサブセット内で前記第ｎの電力制御コマンドを前記基地局から受信するための手段と、ここにおいて、前記第ｎの電力制御コマンドが、前記送信された第ｎのアップリンク送信に基づき、ここにおいて、ｎが２よりも大きいかまたはそれに等しい、
をさらに備える、請求項３３に記載のデバイス。
【請求項３６】
前記ダウンリンク許可が、前記アップリンクリソースの第１のサブセット内での第１のアップリンク送信用の電力制御コマンドを含む、請求項３２に記載のデバイス。
【請求項３７】
前記デバイスへの前記データセグメントの各々についてのサイズを受信するための手段、ここにおいて、データの前記送信ブロックが、前記データセグメントの各々についての前記サイズに基づいて前記データセグメントに分割される、
をさらに備える、請求項３２に記載のデバイス。
【請求項３８】
前記データセグメントの各々の前記サイズが、データトラフィック、前記デバイスへの経路損失、送信ブロックのサイズ、またはノイズレベルのうちの少なくとも１つに基づいて決定される、請求項３７に記載のデバイス。
【請求項３９】
ワイヤレス通信のための基地局であって、
メモリと、
前記メモリに結合された少なくとも１つのプロセッサとを備え、前記少なくとも１つのプロセッサが、
デバイス向けのダウンリンク許可を生成することと、前記ダウンリンク許可が、データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、
前記デバイスに前記ダウンリンク許可を送信することと
を行うように構成される、基地局。
【請求項４０】
前記少なくとも１つのプロセッサが、
前記送信されたダウンリンク許可に基づいて、前記アップリンクリソースの第１のサブセット内で第１のアップリンク送信を前記デバイスから受信することと、
前記受信された第１のアップリンク送信に基づいて、第１の電力制御コマンドを生成することと、
前記ダウンリンクリソースの第１のサブセット内で前記第１の電力制御コマンドを前記デバイスに送信することと
を行うようにさらに構成される、請求項３９に記載の基地局。
【請求項４１】
前記少なくとも１つのプロセッサが、
前記送信されたダウンリンク許可に基づいて、および前記送信された第１の電力制御コマンドに基づいて、前記アップリンクリソースの第２のサブセット内で第２のアップリンク送信を前記デバイスから受信することと、
前記受信された第２のアップリンク送信に基づいて、第２の電力制御コマンドを生成することと、
前記ダウンリンクリソースの第２のサブセット内で前記第２の電力制御コマンドを前記デバイスに送信することと
を行うようにさらに構成される、請求項４０に記載の基地局。
【請求項４２】
前記少なくとも１つのプロセッサが、
前記送信されたダウンリンク許可に基づいて、および送信された第（ｎ−１）の電力制御コマンドに基づいて、前記アップリンクリソースの第ｎのサブセット内で第ｎのアップリンク送信を前記デバイスから受信することと、
前記受信された第ｎのアップリンク送信に基づいて、第ｎの電力制御コマンドを生成することと、
前記ダウンリンクリソースの第ｎのサブセット内で前記第ｎの電力制御コマンドを前記デバイスに送信することと、ここにおいて、ｎが２よりも大きいかまたはそれに等しい、
を行うようにさらに構成される、請求項４０に記載の基地局。
【請求項４３】
前記ダウンリンク許可が、前記アップリンクリソースの第１のサブセット内での第１のアップリンク送信用の電力制御コマンドを含む、請求項３９に記載の基地局。
【請求項４４】
前記少なくとも１つのプロセッサが、
前記データセグメントの各々についてのサイズを決定すること、ここにおいて、前記アップリンクリソースの前記サブセットが、前記データセグメントの各々についての前記サイズに基づいてデータセグメントを送信するために割り振られる、
を行うようにさらに構成される、請求項３９に記載の基地局。
【請求項４５】
前記データセグメントの各々の前記サイズが、データトラフィック、前記デバイスへの経路損失、送信ブロックのサイズ、またはノイズレベルのうちの少なくとも１つに基づいて決定される、請求項４４に記載の基地局。
【請求項４６】
前記少なくとも１つのプロセッサが、
第２のデバイス向けの第２のダウンリンク許可を生成することと、前記ダウンリンク許可が、第２のデータセグメントを送信するための前記アップリンクリソースの他のサブセットと、前記第２のデバイス向けの電力制御コマンドを受信するための前記ダウンリンクリソースの他のサブセットとを前記第２のデバイスに示し、前記アップリンクリソースの前記他のサブセットが、前記ダウンリンクリソースの前記他のサブセットと並行せず、前記アップリンクリソースの前記サブセットと並行しない、
前記第２のデバイスに前記第２のダウンリンク許可を送信することと
を行うようにさらに構成される、請求項３９に記載の基地局。
【請求項４７】
前記少なくとも１つのプロセッサが、
前記送信されたダウンリンク許可に基づいて、前記アップリンクリソースの第１のサブセット内で第１のアップリンク送信を前記デバイスから受信することと、
前記受信された第１のアップリンク送信に基づいて、前記デバイス向けの第１の電力制御コマンドを生成することと、
前記送信された第２のダウンリンク許可に基づいて、前記アップリンクリソースの第２のサブセット内で第２のアップリンク送信を前記第２のデバイスから受信しながら、前記ダウンリンクリソースの前記第１のサブセット内で前記第１の電力制御コマンドを前記デバイスに送信することと
を行うようにさらに構成される、請求項４６に記載の基地局。
【請求項４８】
前記少なくとも１つのプロセッサが、
前記受信された第２のアップリンク送信に基づいて、前記第２のデバイス向けの第２の電力制御コマンドを生成することと、
前記送信されたダウンリンク許可に基づいて、および前記送信された第１の電力制御コマンドに基づいて、前記アップリンクリソースの第３のサブセット内で第３のアップリンク送信を前記デバイスから受信しながら、前記ダウンリンクリソースの第２のサブセット内で前記第２のデバイス向けの前記第２の電力制御コマンドを前記第２のデバイスに送信することと
を行うようにさらに構成される、請求項４７に記載の基地局。
【請求項４９】
前記少なくとも１つのプロセッサが、
前記受信された第３のアップリンク送信に基づいて、前記デバイス向けの第３の電力制御コマンドを生成することと、
前記送信された第２のダウンリンク許可に基づいて、および前記送信された第２の電力制御コマンドに基づいて、前記アップリンクリソースの第４のサブセット内で第４のアップリンク送信を前記第２のデバイスから受信しながら、前記ダウンリンクリソースの第３のサブセット内で前記デバイス向けの前記第３の電力制御コマンドを前記デバイスに送信することと
を行うようにさらに構成される、請求項４８に記載の基地局。
【請求項５０】
前記少なくとも１つのプロセッサが、
前記受信された第ｎのアップリンク送信に基づいて、前記第２のデバイス向けの第ｎの電力制御コマンドを生成することと、
前記送信されたダウンリンク許可に基づいて、および送信された第（ｎ−１）の電力制御コマンドに基づいて、前記アップリンクリソースの第（ｎ＋１）のサブセット内で第（ｎ＋１）のアップリンク送信を前記デバイスから受信しながら、前記ダウンリンクリソースの第ｎのサブセット内で前記第２のデバイス向けの前記第ｎの電力制御コマンドを前記第２のデバイスに送信することと、
前記受信された第（ｎ＋１）のアップリンク送信に基づいて、前記デバイス向けの第（ｎ＋１）の電力制御コマンドを生成することと、
前記送信されたダウンリンク許可に基づいて、および前記送信された第ｎの電力制御コマンドに基づいて、前記アップリンクリソースの第（ｎ＋２）のサブセット内で第（ｎ＋２）のアップリンク送信を前記第２のデバイスから受信しながら、前記ダウンリンクリソースの第（ｎ＋１）のサブセット内で前記デバイス向けの前記第（ｎ＋１）の電力制御コマンドを前記デバイスに送信することと、ここにおいて、ｎが２よりも大きいかまたはそれに等しい偶数である、
を行うようにさらに構成される、請求項４７に記載の基地局。
【請求項５１】
ワイヤレス通信のためのデバイスであって、
メモリと、
前記メモリに結合された少なくとも１つのプロセッサと
を備え、前記少なくとも１つのプロセッサが、
データの送信ブロックをデータセグメントに分割することと、
前記データセグメントを通信するためのアップリンクリソースに対する要求を送信することと、
前記デバイス向けのダウンリンク許可を受信することと、前記ダウンリンク許可が、前記データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、
を行うように構成される、デバイス。
【請求項５２】
前記少なくとも１つのプロセッサが、
前記受信されたダウンリンク許可に基づいて、前記アップリンクリソースの第１のサブセット内で第１のアップリンク送信を基地局に送信することと、
前記ダウンリンクリソースの第１のサブセット内で第１の電力制御コマンドを前記基地局から受信することと、ここにおいて、前記第１の電力制御コマンドが、前記送信された第１のアップリンク送信に基づく、
を行うようにさらに構成される、請求項５１に記載のデバイス。
【請求項５３】
前記少なくとも１つのプロセッサが、
前記受信されたダウンリンク許可に基づいて、および前記受信された第１の電力制御コマンドに基づいて、前記アップリンクリソースの第２のサブセット内で第２のアップリンク送信を前記基地局に送信することと、
前記ダウンリンクリソースの第２のサブセット内で第２の電力制御コマンドを前記基地局から受信することと、ここにおいて、前記第２の電力制御コマンドが、前記送信された第２のアップリンク送信に基づく、
を行うようにさらに構成される、請求項５２に記載のデバイス。
【請求項５４】
前記少なくとも１つのプロセッサが、
前記受信されたダウンリンク許可に基づいて、および受信された第（ｎ−１）の電力制御コマンドに基づいて、前記アップリンクリソースの第ｎのサブセット内で第ｎのアップリンク送信を前記基地局に送信することと、
前記ダウンリンクリソースの第ｎのサブセット内で前記第ｎの電力制御コマンドを前記基地局から受信することと、ここにおいて、前記第ｎの電力制御コマンドが、前記送信された第ｎのアップリンク送信に基づき、ここにおいて、ｎが２よりも大きいかまたはそれに等しい、
を行うようにさらに構成される、請求項５２に記載のデバイス。
【請求項５５】
前記ダウンリンク許可が、前記アップリンクリソースの第１のサブセット内での第１のアップリンク送信用の電力制御コマンドを含む、請求項５１に記載のデバイス。
【請求項５６】
前記少なくとも１つのプロセッサが、
前記デバイスへの前記データセグメントの各々についてのサイズを受信すること、ここにおいて、データの前記送信ブロックが、前記データセグメントの各々についての前記サイズに基づいて前記データセグメントに分割される、
を行うようにさらに構成される、請求項５１に記載のデバイス。
【請求項５７】
前記データセグメントの各々の前記サイズが、データトラフィック、前記デバイスへの経路損失、送信ブロックのサイズ、またはノイズレベルのうちの少なくとも１つに基づいて決定される、請求項５６に記載のデバイス。
【請求項５８】
基地局用のコンピュータ実行可能コードを記憶する非一時的なコンピュータ可読媒体であって、
デバイス向けのダウンリンク許可を生成することと、前記ダウンリンク許可が、データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、
前記デバイスに前記ダウンリンク許可を送信することと
を行うためのコード
を備える、非一時的なコンピュータ可読媒体。
【請求項５９】
デバイス用のコンピュータ実行可能コードを記憶する非一時的なコンピュータ可読媒体であって、
データの送信ブロックをデータセグメントに分割することと、
前記データセグメントを通信するためのアップリンクリソースに対する要求を送信することと、
前記デバイス向けのダウンリンク許可を受信することと、前記ダウンリンク許可が、前記データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、
を行うためのコード
を備える、非一時的なコンピュータ可読媒体。
【発明の詳細な説明】
【技術分野】
【０００１】
関連出願の相互参照
[0001]  本出願は、それらの全体が参照により本明細書に明確に組み込まれる、２０１５年３月２７日に出願された「Ｕｐｌｉｎｋ  Ｓｃｈｅｄｕｌｉｎｇ  ｗｉｔｈ  Ｐｏｗｅｒ  Ｃｏｎｔｒｏｌ  Ｃｏｍｍａｎｄ  ｉｎ  ａｎ  ＦＤＤ  Ｈａｌｆ−ｄｕｐｌｅｘ  Ｎｅｔｗｏｒｋ」と題する米国仮特許出願第６２／１３９，４１４号、および２０１６年２月１８日に出願された「Ｕｐｌｉｎｋ  Ｓｃｈｅｄｕｌｉｎｇ  ｗｉｔｈ  Ｐｏｗｅｒ  Ｃｏｎｔｒｏｌ  Ｃｏｍｍａｎｄ  ｉｎ  ａｎ  ＦＤＤ  Ｈａｌｆ−ｄｕｐｌｅｘ  Ｎｅｔｗｏｒｋ」と題する米国特許出願第１５／０４６，６８４号の利益を主張する。
【０００２】
[0002]  本開示は、一般に、通信システムに関し、より詳細には、周波数分割複信ネットワーク（frequency division duplex network）におけるアップリンク（ＵＬ：uplink）通信に関する。
【背景技術】
【０００３】
[0003]  ワイヤレス通信システム（wireless communication system）は、電話、ビデオ、データ、メッセージング、およびブロードキャストなどの様々な電気通信サービスを提供するために広く展開されている。典型的なワイヤレス通信システムは、利用可能なシステムリソースを共有することによって複数のユーザとの通信をサポートすることが可能な多元接続技術を採用する場合がある。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
[0004]  これらの多元接続技術は、様々なワイヤレスデバイスが都市、国家、地域、さらには地球規模で通信することを可能にする共通プロトコルを提供するために、様々な電気通信規格において採用されている。例示的な電気通信規格はロングタームエボリューション（ＬＴＥ（登録商標）：Long Term Evolution）である。ＬＴＥは、第３世代パートナーシッププロジェクト（３ＧＰＰ（登録商標））によって公表されたユニバーサルモバイルテレコミュニケーションズシステム（ＵＭＴＳ）モバイル規格に対する拡張のセットである。ＬＴＥは、ダウンリンク上でＯＦＤＭＡを使用し、アップリンク上でＳＣ−ＦＤＭＡを使用し、多入力多出力（ＭＩＭＯ）アンテナ技術を使用して、スペクトル効率の改善、コストの低下、およびサービスの改善を通して、モバイルブロードバンドアクセスをサポートするように設計されている。しかしながら、モバイルブロードバンドアクセスに対する需要が増大し続けるにつれて、ＬＴＥ技術におけるさらなる改善が必要である。これらの改善はまた、他の多元接続技術、およびこれらの技術を採用する電気通信規格に適用可能であり得る。
【０００５】
[0005]  ユーザデバイス（user device）から基地局（base station）への効率的な通信には、通信用の適切な電力制御が必要である。したがって、ユーザデバイスが基地局との通信の電力制御を行うための効率的な方法が必要である。加えて、ユーザデバイスと基地局との間のデータ通信には、通信リソースの効率的な使用が必要である。
【発明の概要】
【０００６】
[0006]  以下では、１つまたは複数の態様の基本的理解を与えるために、そのような態様の簡略化された概要を提示する。この概要は、すべての考えられる態様の包括的な概説ではなく、すべての態様の主要または重要な要素（element）を識別することも、いずれかまたはすべての態様の範囲を定めることも意図されていない。その唯一の目的は、後に提示されるより詳細な説明の導入として、１つまたは複数の態様のいくつかの概念を簡略化された形で提示することである。
【０００７】
[0007]  一般に、デバイス（device）は、送信ブロック（transmission block）用の許可（grant）に含まれる電力制御コマンド（power control command）に基づいて、基地局への通信用の送信電力を制御することができる。しかしながら、デバイスが許可を受信するときのみ送信ブロックに対する送信電力制御（transmit power control）を行うことは、送信電力制御のための最も効果的または効率的な方法ではない場合がある。さらに、送信ブロックが大きい場合、送信ブロックは、基地局への送信のために多くのリソースを占有する可能性がある。
【０００８】
[0008]  本開示の一態様では、方法、コンピュータプログラム製品、および装置が提供される。装置（apparatus）は基地局であり得る。装置は、デバイス向けのダウンリンク許可（downlink grant）を生成し、ダウンリンク許可は、データセグメント（data segment）を送信するために割り振られた（allocated）アップリンクリソース（uplink resource）のサブセット（subset）と、それぞれのデータセグメント用の電力制御コマンドを受信するためのダウンリンクリソース（downlink resource）のサブセットとをデバイスに示し、アップリンクリソースのサブセットはダウンリンクリソースのサブセットと並行しない（non-concurrent）。装置はデバイスにダウンリンク許可を送信する。
【０００９】
[0009]  一態様では、装置は基地局であり得る。装置は、デバイス向けのダウンリンク許可を生成するための手段を含む場合があり、ダウンリンク許可は、データセグメントを送信するために割り振られたアップリンクリソースのサブセットと、それぞれのデータセグメント用の電力制御コマンドを受信するためのダウンリンクリソースのサブセットとをデバイスに示し、アップリンクリソースのサブセットはダウンリンクリソースのサブセットと並行しない。装置は、デバイスにダウンリンク許可を送信するための手段を含む場合がある。
【００１０】
[0010]  一態様では、装置は、メモリと、メモリに結合された少なくとも１つのプロセッサとを含む基地局であり得る。少なくとも１つのプロセッサは、デバイス向けのダウンリンク許可を生成することと、ダウンリンク許可は、データセグメントを送信するために割り振られたアップリンクリソースのサブセットと、それぞれのデータセグメント用の電力制御コマンドを受信するためのダウンリンクリソースのサブセットとをデバイスに示し、アップリンクリソースのサブセットはダウンリンクリソースのサブセットと並行しない、ダウンリンク許可をデバイスに送信することとを行うように構成される。
【００１１】
[0011]  一態様では、基地局用のコンピュータ実行可能コードを記憶するコンピュータ可読媒体は、デバイス向けのダウンリンク許可を生成することと、ダウンリンク許可は、データセグメントを送信するために割り振られたアップリンクリソースのサブセットと、それぞれのデータセグメント用の電力制御コマンドを受信するためのダウンリンクリソースのサブセットとをデバイスに示し、アップリンクリソースのサブセットはダウンリンクリソースのサブセットと並行しない、ダウンリンク許可をデバイスに送信することとを行うためのコードを備える場合がある。
【００１２】
[0012]  本開示の別の態様では、方法、コンピュータプログラム製品、および装置が提供される。装置はデバイスであり得る。デバイスは、データの送信ブロックをデータセグメントに分割する場合がある。デバイスは、データセグメントを通信するためのアップリンクリソースに対する要求を送信する場合がある。デバイスは、デバイス向けのダウンリンク許可を受信する場合があり、ダウンリンク許可は、データセグメントを送信するために割り振られたアップリンクリソースのサブセットと、それぞれのデータセグメント用の電力制御コマンドを受信するためのダウンリンクリソースのサブセットとをデバイスに示し、アップリンクリソースのサブセットはダウンリンクリソースのサブセットと並行しない。
【００１３】
[0013]  一態様では、装置はデバイスであり得る。デバイスは、データの送信ブロックをデータセグメントに分割するための手段を含む場合がある。デバイスは、データセグメントを通信するためのアップリンクリソースに対する要求を送信するための手段を含む場合がある。デバイスは、デバイス向けのダウンリンク許可を受信するための手段を含む場合があり、ダウンリンク許可は、データセグメントを送信するために割り振られたアップリンクリソースのサブセットと、それぞれのデータセグメント用の電力制御コマンドを受信するためのダウンリンクリソースのサブセットとをデバイスに示し、アップリンクリソースのサブセットはダウンリンクリソースのサブセットと並行しない。
【００１４】
[0014]  一態様では、装置は、メモリと、メモリに結合された少なくとも１つのプロセッサとを含むデバイスであり得る。少なくとも１つのプロセッサは、データの送信ブロックをデータセグメントに分割することと、データセグメントを通信するためのアップリンクリソースに対する要求を送信することと、デバイス向けのダウンリンク許可を受信することとを行うように構成される場合があり、ダウンリンク許可は、データセグメントを送信するために割り振られたアップリンクリソースのサブセットと、それぞれのデータセグメント用の電力制御コマンドを受信するためのダウンリンクリソースのサブセットとをデバイスに示し、アップリンクリソースのサブセットはダウンリンクリソースのサブセットと並行しない。
【００１５】
[0015]  一態様では、デバイス用のコンピュータ実行可能コードを記憶するコンピュータ可読媒体は、データの送信ブロックをデータセグメントに分割することと、データセグメントを通信するためのアップリンクリソースに対する要求を送信することと、デバイス向けのダウンリンク許可を受信することとを行うためのコードを備える場合があり、ダウンリンク許可は、データセグメントを送信するために割り振られたアップリンクリソースのサブセットと、それぞれのデータセグメント用の電力制御コマンドを受信するためのダウンリンクリソースのサブセットとをデバイスに示し、アップリンクリソースのサブセットはダウンリンクリソースのサブセットと並行しない。
【００１６】
[0016]  上記および関係する目的を達成するために、１つまたは複数の態様は、以下で十分に記載され、特に特許請求の範囲において指摘される機能を備える。以下の説明および添付の図面は、１つまたは複数の態様のうちのいくつかの例示的な機能を詳細に記載する。しかしながら、これらの機能は、様々な態様の原理が採用され得る様々な方法のほんのいくつかを示すものであり、この説明は、すべてのそのような態様とそれらの均等物とを含むものである。
【図面の簡単な説明】
【００１７】
【図１】[0017]  ワイヤレス通信システムおよびアクセスネットワークの一例を示す図。
【図２Ａ】[0018]  ＤＬフレーム構造のＬＴＥの例を示す図。
【図２Ｂ】ＤＬフレーム構造内のＤＬチャネルのＬＴＥの例を示す図。
【図２Ｃ】ＵＬフレーム構造のＬＴＥの例を示す図。
【図２Ｄ】ＵＬフレーム構造内のＵＬチャネルのＬＴＥの例を示す図。
【図３】[0019]  アクセスネットワーク内の発展型ノードＢ（ｅＮＢ）およびユーザ機器（ＵＥ：user equipment）の一例を示す図。
【図４】[0020]  デバイスから基地局へのアップリンク通信を示す例示的な図。
【図５】[0021]  本開示の一態様を示す例示的な流れ図。
【図６】[0022]  本開示の一態様を示す例示的なリソースタイムライン図。
【図７】[0023]  本開示のさらなる態様を示す例示的な流れ図。
【図８】[0024]  本開示のさらなる態様を示す例示的なリソースタイムライン図。
【図９】[0025]  本開示の一態様による、ワイヤレス通信の方法のフローチャート。
【図１０Ａ】[0026]  本開示の一態様による、図９のフローチャートから展開するワイヤレス通信の方法のフローチャート。
【図１０Ｂ】[0027]  本開示の一態様による、図９のフローチャートから展開するワイヤレス通信の方法のフローチャート。
【図１１】[0028]  本開示の一態様による、ワイヤレス通信の方法のフローチャート。
【図１２Ａ】[0029]  本開示の一態様による、図１１のフローチャートから展開するワイヤレス通信の方法のフローチャート。
【図１２Ｂ】[0030]  本開示の一態様による、図１１のフローチャートから展開するワイヤレス通信の方法のフローチャート。
【図１３】[0031]  例示的な装置内の様々な手段／構成要素間のデータフローを示す概念データフロー図。
【図１４】[0032]  処理システム（processing system）を採用する装置のためのハードウェア実装形態の一例を示す図。
【図１５】[0033]  本開示の一態様による、ワイヤレス通信の方法のフローチャート。
【図１６Ａ】[0034]  本開示の一態様による、図１５のフローチャートから展開するワイヤレス通信の方法のフローチャート。
【図１６Ｂ】[0035]  本開示の一態様による、図１５のフローチャートから展開するワイヤレス通信の方法のフローチャート。
【図１７】[0036]  例示的な装置内の様々な手段／構成要素間のデータフローを示す概念データフロー図。
【図１８】[0037]  処理システムを採用する装置のためのハードウェア実装形態の一例を示す図。
【発明を実施するための形態】
【００１８】
[0038]  添付の図面に関して以下に記載される発明を実施するための形態は、様々な構成を説明するものであり、本明細書に記載される概念が実践され得る構成のみを表すものではない。発明を実施するための形態は、様々な概念を完全に理解することを目的とする具体的な詳細を含む。しかしながら、これらの概念がこれらの具体的な詳細なしに実践され得ることが当業者に明らかであろう。場合によっては、そのような概念を不明瞭にすることを回避するために、よく知られている構造および構成要素（component）がブロック図の形態で示される。
【００１９】
[0039]  次に、様々な装置および方法を参照して、電気通信システムのいくつかの態様が提示される。これらの装置および方法は、以下の発明を実施するための形態に記載され、（「要素（element）」と総称される）様々なブロック、構成要素、回路、プロセス、アルゴリズムなどによって添付の図面に示される。これらの要素は、電子ハードウェア、コンピュータソフトウェア、またはそれらの任意の組合せを使用して実装される場合がある。そのような要素がハードウェアとして実装されるか、またはソフトウェアとして実装されるかは、特定の適用例および全体的なシステムに課される設計制約に依存する。
【００２０】
[0040]  例として、要素、または要素の任意の部分、または要素の任意の組合せは、１つまたは複数のプロセッサを含む「処理システム（processing system）」として実装される場合がある。プロセッサの例には、マイクロプロセッサ、マイクロコントローラ、グラフィックス処理装置（ＧＰＵ）、中央処理装置（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、状態機械、ゲート論理、個別ハードウェア回路、および本開示全体にわたって記載される様々な機能を行うように構成された他の適切なハードウェアが含まれる。処理システム内の１つまたは複数のプロセッサはソフトウェアを実行することができる。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００２１】
[0041]  したがって、１つまたは複数の例示的な実施形態では、記載される機能は、ハードウェア、ソフトウェア、またはそれらの任意の組合せで実装される場合がある。ソフトウェアに実装される場合、機能は、コンピュータ可読媒体上に記憶されるか、またはコンピュータ可読媒体上に１つもしくは複数の命令もしくはコードとして符号化される場合がある。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、光ディスクストレージ、磁気ディスクストレージ、他の磁気ストレージデバイス、上述のタイプのコンピュータ可読媒体の組合せ、または、コンピュータによってアクセスされ得る命令もしくはデータ構造の形態のコンピュータ実行可能コードを記憶するために使用され得る任意の他の媒体を備えることができる。
【００２２】
[0042]  図１は、ワイヤレス通信システムおよびアクセスネットワーク１００の一例を示す図である。（ワイヤレスワイドエリアネットワーク（ＷＷＡＮ：wireless wide area network）とも呼ばれる）ワイヤレス通信システムは、基地局１０２と、ＵＥ１０４と、発展型パケットコア（ＥＰＣ：Evolved Packet Core）１６０とを含む。基地局１０２は、マクロセル（高電力セルラー基地局）および／またはスモールセル（低電力セルラー基地局）を含む場合がある。マクロセルはｅＮＢを含む。スモールセルは、フェムトセルと、ピコセルと、マイクロセルとを含む。
【００２３】
[0043]  （発展型ユニバーサルモバイルテレコミュニケーションズシステム（ＵＭＴＳ）地上波無線アクセスネットワーク（Ｅ−ＵＴＲＡＮ）と総称される）基地局１０２は、バックホールリンク（backhaul link）１３２（たとえば、Ｓ１インターフェース）を介してＥＰＣ１６０とインターフェースする。他の機能に加えて、基地局１０２は、以下の機能：ユーザデータの転送、無線チャネル暗号化および解読、完全性保護、ヘッダ圧縮、モビリティ制御機能（たとえば、ハンドオーバー、デュアル接続性）、セル間干渉協調、接続セットアップおよび解放、負荷分散、非アクセス層（ＮＡＳ：non-access stratum）メッセージのための分配、ＮＡＳノード選択、同期、無線アクセスネットワーク（ＲＡＮ：radio access network）共有、マルチメディアブロードキャストマルチキャストサービス（ＭＢＭＳ：multimedia broadcast multicast service）、加入者および機器トレース、ＲＡＮ情報管理（ＲＩＭ：RAN information management）、ページング、測位、ならびに警告メッセージの配信のうちの１つまたは複数を行うことができる。基地局１０２は、バックホールリンク１３４（たとえば、Ｘ２インターフェース）上で互いに直接的または（たとえば、ＥＰＣ１６０を介して）間接的に通信することができる。バックホールリンク１３４は有線またはワイヤレスであり得る。
【００２４】
[0044]  基地局１０２はＵＥ１０４とワイヤレスに通信することができる。基地局１０２の各々は、それぞれの地理的カバレージエリア１１０に通信カバレージを提供することができる。重複する地理的カバレージエリア１１０が存在する場合がある。たとえば、スモールセル１０２’は、１つまたは複数のマクロ基地局１０２のカバレージエリア１１０と重複するカバレージエリア１１０’を有する場合がある。スモールセルとマクロセルの両方を含むネットワークは、異種ネットワークとして知られる場合がある。異種ネットワークは、限定加入者グループ（ＣＳＧ：closed subscriber group）として知られる限定グループにサービスを提供することができるホーム発展型ノードＢ（ｅＮＢ）（ＨｅＮＢ）を含む場合もある。基地局１０２とＵＥ１０４との間の通信リンク１２０は、ＵＥ１０４から基地局１０２への（逆方向リンクとも呼ばれる）アップリンク（ＵＬ）送信、および／または基地局１０２からＵＥ１０４への（順方向リンクとも呼ばれる）ダウンリンク（ＤＬ：downlink）送信を含む場合がある。通信リンク１２０は、空間多重化、ビームフォーミング、および／または送信ダイバーシティを含む、ＭＩＭＯアンテナ技術を使用することができる。通信リンクは、１つまたは複数のキャリアを介する場合がある。基地局１０２／ＵＥ１０４は、各方向における送信に使用される合計ＹｘＭＨｚ（ｘ個のコンポーネントキャリア）までのキャリアアグリゲーションにおいて割り振られた、キャリア当たりＹＭＨｚ（たとえば、５、１０、１５、２０ＭＨｚ）までの帯域幅のスペクトルを使用することができる。キャリアは、互いに隣接する場合も、隣接しない場合もある。キャリアの割振りは、ＤＬおよびＵＬに対して非対称であり得る（たとえば、ＤＬの場合、ＵＬの場合よりも多いかまたは少ないキャリアが割り振られる場合がある）。コンポーネントキャリアは、１次コンポーネントキャリアと、１つまたは複数の２次コンポーネントキャリアとを含む場合がある。１次コンポーネントキャリアは１次セル（ＰＣｅｌｌ）と呼ばれる場合があり、２次コンポーネントキャリアは２次セル（ＳＣｅｌｌ）と呼ばれる場合がある。
【００２５】
[0045]  ワイヤレス通信システムは、５ＧＨｚ無認可周波数スペクトル（unlicensed frequency spectrum）内で通信リンク１５４を介してＷｉ−Ｆｉ（登録商標）局（ＳＴＡ）１５２と通信しているＷｉ−Ｆｉアクセスポイント（ＡＰ：access point）１５０をさらに含む場合がある。無認可周波数スペクトル内で通信するとき、ＳＴＡ１５２／ＡＰ１５０は、チャネルが利用可能であるかどうかを決定するために、通信するより前にクリアチャネルアセスメント（ＣＣＡ：clear channel assessment）を行うことができる。
【００２６】
[0046]  スモールセル１０２’は、認可および／または無認可の周波数スペクトル内で動作することができる。無認可周波数スペクトル内で動作しているとき、スモールセル１０２’は、ＬＴＥを採用し、Ｗｉ−Ｆｉ  ＡＰ１５０によって使用されるのと同じ５ＧＨｚ無認可周波数スペクトルを使用することができる。無認可周波数スペクトル内でＬＴＥを採用するスモールセル１０２’は、アクセスネットワークへのカバレージをブーストし、および／またはアクセスネットワークの容量を増加させることができる。無認可スペクトルにおけるＬＴＥは、ＬＴＥ無認可（ＬＴＥ−Ｕ）、認可支援アクセス（ＬＡＡ：licensed assisted access）、またはＭｕＬＴＥｆｉｒｅと呼ばれる場合がある。
【００２７】
[0047]  ＥＰＣ１６０は、モビリティ管理エンティティ（ＭＭＥ：Mobility Management Entity）１６２と、他のＭＭＥ１６４と、サービングゲートウェイ１６６と、マルチメディアブロードキャストマルチキャストサービス（ＭＢＭＳ）ゲートウェイ１６８と、ブロードキャストマルチキャストサービスセンタ（ＢＭ−ＳＣ：Broadcast Multicast Service Center）１７０と、パケットデータネットワーク（ＰＤＮ）ゲートウェイ１７２とを含む場合がある。ＭＭＥ１６２は、ホーム加入者サーバ（ＨＳＳ）１７４と通信している場合がある。ＭＭＥ１６２は、ＵＥ１０４とＥＰＣ１６０との間のシグナリングを処理する制御ノードである。概して、ＭＭＥ１６２はベアラと接続管理とを提供する。すべてのユーザインターネットプロトコル（ＩＰ）パケットは、サービングゲートウェイ１６６を介して転送され、サービングゲートウェイ１６６自体はＰＤＮゲートウェイ１７２に接続される。ＰＤＮゲートウェイ１７２は、ＵＥのＩＰアドレス割振りならびに他の機能を提供する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ）、ＰＳストリーミングサービス（ＰＳＳ）、および／または他のＩＰサービスを含む場合がある。ＢＭ−ＳＣ１７０は、ＭＢＭＳユーザサービスのプロビジョニングおよび配信のための機能を提供することができる。ＢＭ−ＳＣ１７０は、コンテンツプロバイダＭＢＭＳ送信のためのエントリポイントとして働く場合があり、公的地域モバイルネットワーク（ＰＬＭＮ）内のＭＢＭＳベアラサービスを認可および開始するために使用される場合があり、ＭＢＭＳ送信をスケジュールするために使用される場合がある。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを配信するために使用される場合があり、セッション管理（開始／停止）およびｅＭＢＭＳ関係の課金情報を収集することに関与する場合がある。
【００２８】
[0048]  基地局は、ノードＢ、発展型ノードＢ（ｅＮＢ）、アクセスポイント、トランシーバ基地局、無線基地局、無線トランシーバ、トランシーバ機能、基本サービスセット（ＢＳＳ）、拡張サービスセット（ＥＳＳ）、または他の何らかの適切な用語で呼ばれる場合もある。基地局１０２は、ＵＥ１０４にＥＰＣ１６０へのアクセスポイントを提供する。ＵＥ１０４の例には、携帯電話、スマートフォン、セッション開始プロトコル（ＳＩＰ）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、スマートデバイス、ウェアラブルデバイス、または任意の他の同様の機能デバイスが含まれる。ＵＥ１０４は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれる場合もある。
【００２９】
[0049]  再び図１を参照すると、いくつかの態様では、ＵＥ１０４／ｅＮＢ１０２は、送信ブロックを複数のデータセグメントに分割し、ＵＥ１０４からｅＮＢ１０２への複数のデータセグメントのそれぞれの送信用の電力制御コマンドを提供するように構成される場合があり、その結果、ｅＮＢ１０２は複数のデータセグメントに基づいて送信ブロックを復号することができる（１９８）。
【００３０】
[0050]  図２Ａは、ＬＴＥにおけるＤＬフレーム構造の一例を示す図２００である。図２Ｂは、ＬＴＥにおけるＤＬフレーム構造内のチャネルの一例を示す図２３０である。図２Ｃは、ＬＴＥにおけるＵＬフレーム構造の一例を示す図２５０である。図２Ｄは、ＬＴＥにおけるＵＬフレーム構造内のチャネルの一例を示す図２８０である。他のワイヤレス通信技術は、異なるフレーム構造および／または異なるチャネルを有する場合がある。ＬＴＥでは、フレーム（１０ｍｓ）は、１０個の等しいサイズ（size）のサブフレームに分割される場合がある。各サブフレームは、２つの連続するタイムスロットを含む場合がある。２つのタイムスロットを表すためにリソースグリッドが使用される場合があり、各タイムスロットは、１つまたは複数の（物理ＲＢ（ＰＲＢ）とも呼ばれる）時間並行の（time concurrent）リソースブロック（ＲＢ：resource block）を含む。リソースグリッドは複数のリソース要素（ＲＥ）に分割される。ＬＴＥでは、ノーマルサイクリックプレフィックスの場合、ＲＢは、合計８４個のＲＥについて、周波数領域内に１２個の連続するサブキャリアを含んでおり、時間領域内に７つの連続するシンボル（ＤＬの場合、ＯＦＤＭシンボル、ＵＬの場合、ＳＣ−ＦＤＭＡシンボル）を含んでいる。拡張サイクリックプレフィックスの場合、ＲＢは、合計７２個のＲＥについて、周波数領域内に１２個の連続するサブキャリアを含んでおり、時間領域内に６個の連続するシンボルを含んでいる。各ＲＥによって搬送されるビット数は変調方式に依存する。
【００３１】
[0051]  図２Ａに示されたように、ＲＥのうちのいくつかは、ＵＥにおけるチャネル推定のためのＤＬ基準（パイロット）信号（ＤＬ−ＲＳ）を搬送する。ＤＬ−ＲＳは、（共通ＲＳと呼ばれることもある）セル固有基準信号（ＣＲＳ）と、ＵＥ固有基準信号（ＵＥ−ＲＳ）と、チャネル状態情報基準信号（ＣＳＩ−ＲＳ）とを含む場合がある。図２Ａは、（それぞれ、Ｒ0、Ｒ1、Ｒ2、およびＲ3として示された）アンテナポート０、１、２、および３のためのＣＲＳと、（Ｒ5として示された）アンテナポート５のためのＵＥ−ＲＳと、（Ｒとして示された）アンテナポート１５のためのＣＳＩ−ＲＳとを示す。図２Ｂは、フレームのＤＬサブフレーム内の様々なチャネルの一例を示す。物理制御フォーマットインジケータチャネル（ＰＣＦＩＣＨ）はスロット０のシンボル０内にあり、物理ダウンリンク制御チャネル（ＰＤＣＣＨ）が１つのシンボルを占有するか、２つのシンボルを占有するか、３つのシンボルを占有するかを示す制御フォーマットインジケータ（ＣＦＩ）を搬送する（図２Ｂは、３つのシンボルを占有するＰＤＣＣＨを示す）。ＰＤＣＣＨは、１つまたは複数の制御チャネル要素（ＣＣＥ）内でダウンリンク制御情報（ＤＣＩ）を搬送し、各ＣＣＥは９つのＲＥグループ（ＲＥＧ）を含み、各ＲＥＧはＯＦＤＭシンボル内に４つの連続するＲＥを含む。ＵＥは、ＤＣＩも搬送するＵＥ固有拡張ＰＤＣＣＨ（ｅＰＤＣＣＨ）で構成される場合がある。ｅＰＤＣＣＨは、２つ、４つ、または８つのＲＢペアを有する場合がある（図２Ｂは２つのＲＢペアを示し、各サブセットは１つのＲＢペアを含む）。物理ハイブリッド自動再送要求（ＡＲＱ）（ＨＡＲＱ）インジケータチャネル（ＰＨＩＣＨ）もスロット０のシンボル０内にあり、物理アップリンク共有チャネル（ＰＵＳＣＨ）に基づいてＨＡＲＱ肯定応答（ＡＣＫ）／否定ＡＣＫ（ＮＡＣＫ）フィードバックを示すＨＡＲＱインジケータ（ＨＩ）を搬送する。１次同期チャネル（ＰＳＣＨ）は、フレームのサブフレーム０および５内のスロット０のシンボル６内にあり、サブフレームタイミングと物理レイヤ識別情報とを決定するためにＵＥによって使用される１次同期信号（ＰＳＳ）を搬送する。２次同期チャネル（ＳＳＣＨ）は、フレームのサブフレーム０および５内のスロット０のシンボル５内にあり、物理レイヤセル識別情報グループ番号を決定するためにＵＥによって使用される２次同期信号（ＳＳＳ）を搬送する。物理レイヤ識別情報および物理レイヤセル識別情報グループ番号に基づいて、ＵＥは物理セル識別子（ＰＣＩ）を決定することができる。ＰＣＩに基づいて、ＵＥは上述のＤＬ−ＲＳの位置を決定することができる。物理ブロードキャストチャネル（ＰＢＣＨ）は、フレームのサブフレーム０のスロット１のシンボル０、１、２、３内にあり、マスタ情報ブロック（ＭＩＢ）を搬送する。ＭＩＢは、ＤＬシステム帯域幅内のＲＢの数と、ＰＨＩＣＨ構成と、システムフレーム番号（ＳＦＮ）とを提供する。物理ダウンリンク共有チャネル（ＰＤＳＣＨ）は、ユーザデータと、システム情報ブロック（ＳＩＢ）などのＰＢＣＨを介して送信されないブロードキャストシステム情報と、ページングメッセージとを搬送する。
【００３２】
[0052]  図２Ｃに示されたように、ＲＥのうちのいくつかは、ｅＮＢにおけるチャネル推定のための復調基準信号（ＤＭ−ＲＳ）を搬送する。ＵＥは、サブフレームの最終シンボル内でサウンディング基準信号（ＳＲＳ）をさらに送信する場合がある。ＳＲＳはコム構造を有する場合があり、ＵＥは、コムのうちの１つの上でＳＲＳを送信する場合がある。ＳＲＳは、ｅＮＢによって、ＵＬ上での周波数依存スケジューリングを可能にするために、チャネル品質推定のために使用され得る。図２Ｄは、フレームのＵＬサブフレーム内の様々なチャネルの一例を示す。物理ランダムアクセスチャネル（ＰＲＡＣＨ）は、ＰＲＡＣＨ構成に基づいてフレーム内の１つまたは複数のサブフレーム内にあり得る。ＰＲＡＣＨは、サブフレーム内に６つの連続するＲＢペアを含む場合がある。ＰＲＡＣＨにより、ＵＥが初期システムアクセスを行い、ＵＬ同期を実現することが可能になる。物理アップリンク制御チャネル（ＰＵＣＣＨ）は、ＵＬシステム帯域幅のエッジ上に位置する場合がある。ＰＵＣＣＨは、スケジューリング要求、チャネル品質インジケータ（ＣＱＩ）、プリコーディング行列インジケータ（ＰＭＩ）、ランクインジケータ（ＲＩ）、およびＨＡＲＱ  ＡＣＫ／ＮＡＣＫフィードバックなどのアップリンク制御情報（ＵＣＩ）を搬送する。ＰＵＳＣＨは、データを搬送し、バッファステータス報告（ＢＳＲ）、パワーヘッドルーム報告（ＰＨＲ）、および／またはＵＣＩを搬送するためにさらに使用される場合がある。
【００３３】
[0053]  図３は、アクセスネットワーク内でｅＮＢ３１０がＵＥ３５０と通信しているブロック図である。ＤＬでは、ＥＰＣ１６０からのＩＰパケットがコントローラ／プロセッサ３７５に供給される場合がある。コントローラ／プロセッサ３７５はレイヤ３およびレイヤ２の機能を実装する。レイヤ３は無線リソース制御（ＲＲＣ）レイヤを含み、レイヤ２は、パケットデータコンバージェンスプロトコル（ＰＤＣＰ）レイヤと、無線リンク制御（ＲＬＣ）レイヤと、媒体アクセス制御（ＭＡＣ）レイヤとを含む。コントローラ／プロセッサ３７５は、システム情報（たとえば、ＭＩＢ、ＳＩＢ）のブロードキャスティング、ＲＲＣ接続制御（たとえば、ＲＲＣ接続ページング、ＲＲＣ接続確立、ＲＲＣ接続修正、およびＲＲＣ接続解放）、無線アクセス技術（ＲＡＴ）間モビリティ、ならびにＵＥ測定報告のための測定構成に関連するＲＲＣレイヤ機能と、ヘッダ圧縮／解凍、セキュリティ（暗号化、解読、完全性保護、完全性検証）、およびハンドオーバーサポート機能に関連するＰＤＣＰレイヤ機能と、上位レイヤパケットデータユニット（ＰＤＵ）の転送、ＡＲＱを介した誤り訂正、ＲＬＣサービスデータユニット（ＳＤＵ）の連結、セグメンテーション、およびリアセンブリ、ＲＬＣデータＰＤＵの再セグメンテーション、ならびにＲＬＣデータＰＤＵの並べ替えに関連するＲＬＣレイヤ機能と、論理チャネルとトランスポートチャネルとの間のマッピング、トランスポートブロック（ＴＢ：transport block）上へのＭＡＣ  ＳＤＵの多重化、ＴＢからのＭＡＣ  ＳＤＵの逆多重化、スケジューリング情報報告、ＨＡＲＱを介した誤り訂正、優先度処理、および論理チャネル優先度付けに関連するＭＡＣレイヤ機能とを提供する。
【００３４】
[0054]  送信（ＴＸ）プロセッサ３１６および受信（ＲＸ）プロセッサ３７０は、様々な信号処理機能に関連するレイヤ１機能を実装する。物理（ＰＨＹ）レイヤを含むレイヤ１は、トランスポートチャネル上の誤り検出と、トランスポートチャネルの前方誤り訂正（ＦＥＣ）コーディング／復号と、インターリービングと、レートマッチングと、物理チャネル上へのマッピングと、物理チャネルの変調／復調と、ＭＩＭＯアンテナ処理とを含む場合がある。ＴＸプロセッサ３１６は、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、Ｍ直交振幅変調（Ｍ−ＱＡＭ））に基づく信号コンスタレーションへのマッピングを扱う。コーディングされ変調されたシンボルは、次いで、並列ストリームに分割される場合がある。各ストリームは、次いで、時間領域ＯＦＤＭシンボルストリームを搬送する物理チャネルを生成するために、ＯＦＤＭサブキャリアにマッピングされ、時間領域および／または周波数領域内で基準信号（たとえば、パイロット）と多重化され、次いで、逆高速フーリエ変換（ＩＦＦＴ）を使用して一緒に合成される場合がある。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用される場合がある。チャネル推定値は、ＵＥ３５０によって送信される基準信号および／またはチャネル状態フィードバックから導出される場合がある。各空間ストリームは、次いで、別個の送信機３１８ＴＸを介して異なるアンテナ３２０に供給される場合がある。各送信機３１８ＴＸは、送信用にそれぞれの空間ストリームでＲＦキャリアを変調することができる。
【００３５】
[0055]  ＵＥ３５０において、各受信機３５４ＲＸは、受信機のそれぞれのアンテナ３５２を通して信号を受信する。各受信機３５４ＲＸは、ＲＦキャリア上に変調された情報を復元し、その情報を受信（ＲＸ）プロセッサ３５６に供給する。ＴＸプロセッサ３６８およびＲＸプロセッサ３５６は、様々な信号処理機能に関連するレイヤ１機能を実装する。ＲＸプロセッサ３５６は、ＵＥ３５０に宛てられた任意の空間ストリームを復元するために、情報に対して空間処理を行うことができる。複数の空間ストリームがＵＥ３５０に宛てられた場合、複数の空間ストリームは、ＲＸプロセッサ３５６によって単一のＯＦＤＭシンボルストリームに合成される場合がある。次いで、ＲＸプロセッサ３５６は、高速フーリエ変換（ＦＦＴ）を使用して、ＯＦＤＭＡシンボルストリームを時間領域から周波数領域に変換する。周波数領域信号は、ＯＦＤＭ信号のサブキャリアごとに別々のＯＦＤＭシンボルストリームを備える。各サブキャリア上のシンボルおよび基準信号は、ｅＮＢ３１０によって送信される、可能性が最も高い信号のコンスタレーションポイントを決定することによって復元および復調される。これらの軟判定（soft decision）は、チャネル推定器３５８によって算出されたチャネル推定値に基づく場合がある。軟判定は、次いで、物理チャネル上でｅＮＢ３１０によって最初に送信されたデータと制御信号とを復元するために復号およびデインターリーブされる。データおよび制御信号は、次いで、レイヤ３およびレイヤ２の機能を実装するコントローラ／プロセッサ３５９に供給される。
【００３６】
[0056]  コントローラ／プロセッサ３５９は、プログラムコードとデータとを記憶するメモリ３６０と関連付けることができる。メモリ３６０は、コンピュータ可読媒体と呼ばれる場合がある。ＵＬでは、コントローラ／プロセッサ３５９は、ＥＰＣ１６０からのＩＰパケットを復元するために、トランスポートチャネルと論理チャネルとの間の逆多重化と、パケットリアセンブリと、解読と、ヘッダ解凍と、制御信号処理とを提供する。コントローラ／プロセッサ３５９はまた、ＨＡＲＱ動作をサポートするために、ＡＣＫおよび／またはＮＡＣＫプロトコルを使用する誤り検出に関与する。
【００３７】
[0057]  ｅＮＢ３１０によるＤＬ送信に関して記載された機能と同様に、コントローラ／プロセッサ３５９は、システム情報（たとえば、ＭＩＢ、ＳＩＢ）収集、ＲＲＣ接続、および測定報告に関連するＲＲＣレイヤ機能と、ヘッダ圧縮／解凍およびセキュリティ（暗号化、解読、完全性保護、完全性検証）に関連するＰＤＣＰレイヤ機能と、上位レイヤＰＤＵの転送、ＡＲＱを介した誤り訂正、ＲＬＣ  ＳＤＵの連結、セグメンテーション、およびリアセンブリ、ＲＬＣデータＰＤＵの再セグメンテーション、ならびにＲＬＣデータＰＤＵの並べ替えに関連するＲＬＣレイヤ機能と、論理チャネルとトランスポートチャネルとの間のマッピング、ＴＢ上へのＭＡＣ  ＳＤＵの多重化、ＴＢからのＭＡＣ  ＳＤＵの逆多重化、スケジューリング情報報告、ＨＡＲＱを介した誤り訂正、優先度処理、および論理チャネル優先度付けに関連するＭＡＣレイヤ機能とを提供する。
【００３８】
[0058]  ｅＮＢ３１０によって送信された基準信号またはフィードバックからチャネル推定器３５８によって導出されたチャネル推定値は、適切なコーディングおよび変調方式を選択し、空間処理を容易にするために、ＴＸプロセッサ３６８によって使用される場合がある。ＴＸプロセッサ３６８によって生成された空間ストリームは、別々の送信機３５４ＴＸを介して異なるアンテナ３５２に供給される場合がある。各送信機３５４ＴＸは、送信のためにそれぞれの空間ストリームでＲＦキャリアを変調することができる。
【００３９】
[0059]  ＵＬ送信は、ＵＥ３５０における受信機機能に関して記載された方式と同様の方式で、ｅＮＢ３１０において処理される。各受信機３１８ＲＸは、受信機のそれぞれのアンテナ３２０を介して信号を受信する。各受信機３１８ＲＸは、ＲＦキャリア上に変調された情報を復元し、その情報をＲＸプロセッサ３７０に供給する。
【００４０】
[0060]  コントローラ／プロセッサ３７５は、プログラムコードとデータとを記憶するメモリ３７６と関連付けることができる。メモリ３７６は、コンピュータ可読媒体と呼ばれる場合がある。ＵＬでは、コントローラ／プロセッサ３７５は、ＵＥ３５０からのＩＰパケットを復元するために、トランスポートチャネルと論理チャネルとの間の逆多重化と、パケットリアセンブリと、解読と、ヘッダ解凍と、制御信号処理とを提供する。コントローラ／プロセッサ３７５からのＩＰパケットは、ＥＰＣ１６０に供給される場合がある。コントローラ／プロセッサ３７５はまた、ＨＡＲＱ動作をサポートするために、ＡＣＫおよび／またはＮＡＣＫプロトコルを使用する誤り検出に関与する。
【００４１】
[0061]  最近、ＧＥＲＡＮにおいてモノのインターネット（ＩｏＴ）システムが研究されている。ＩｏＴシステムは、ＩｏＴデバイスと基地局とを必要とする場合があり、狭帯域幅（たとえば、２００ＫＨｚ）内で動作することができる。ＩｏＴシステムは、ＦＤＤ半二重モード（half-duplex mode）で動作することができる。ＩｏＴシステムの場合、利用可能なダウンリンク／アップリンク帯域幅がいくつかの離間したトーン内に分割されるＯＦＤＭＡベースの設計が実装される場合がある。
【００４２】
[0062]  ＩｏＴシステムは、基地局への大きな経路損失（path loss）に遭遇する場合がある。たとえば、基地局から離れたＩｏＴデバイス、または、信号を効果的に通信することができない特定のエリア／構造（たとえば、地下室）内に位置するＩｏＴデバイスにより、大きな経路損失が引き起こされる場合がある。ＩｏＴシステムは、信号対ノイズ比（ＳＮＲ）を低くする場合がある経路損失に遭遇するときでも、信頼性が高い通信を提供するべきである。（たとえば、経路損失に起因する）ＳＮＲが低い状態において信頼性が高い通信を提供するために、基地局は、大きなコーディングブロック（coding block）を使用してＩｏＴデバイスにデータを送信することができる。たとえば、コーディングブロックの送信を完了する送信時間が長い（たとえば、１秒を超える）場合、コーディングブロックは大きいと考えることができる。（たとえば、大きなコーディングブロックはＳＮＲが低い状態において１回の試みで送信に成功しない場合があるので）ＳＮＲが低い状態では、ＩｏＴデバイスへのデータの通信に成功するために、大きなコーディングブロックの送信の繰り返しが行われる場合がある。ＩｏＴデバイスは、高送信電力を利用して大きなコーディングブロックを送信する場合があり、したがって、そのような大きなコーディングブロックにより、望ましいシステム容量を満たすリソース割振りが困難になる場合がある。基地局はリソース（たとえば、周波数リソースおよび電力）が制限されるので、ＵＬ通信のための効率的な技法が必要である。
【００４３】
[0063]  図４は、デバイスから基地局へのアップリンク通信を示す例示的な図４００である。デバイス（たとえば、ＩｏＴデバイス）４０２が基地局４０４に送るＵＬデータを有する場合、デバイス４０２は、デバイス４０２が基地局４０４にＵＬデータを送信するためにＵＬリソースを要求することを基地局４０４に示すために、基地局４０４にランダムアクセス要求４１２を送信する場合がある。ランダムアクセス要求４１２に応答して、基地局４０４は、ダウンリンク（ＤＬ）周波数帯域上でデバイス４０２に許可４１４を送信する。デバイス４０２に送信された許可４１４は、ＵＬ送信にＵＬ周波数帯域用のリソースを割り当てることができる。デバイス４０２は、送信ブロック４１６内でＵＬデータを送信するために、許可４１４に基づいてＵＬ周波数帯域を利用する。
【００４４】
[0064]  デバイスが送信電力を高電力に維持する場合、デバイスはＵＬ送信を行うことに成功することができる可能性がある。しかしながら、デバイスがそのような高い送信電力を維持する場合、デバイスは、より多くの電力を消費し、および／または、高い送信電力で送信された信号により、他の隣接するデバイスの通信に干渉する可能性もある。一方、デバイスが低い送信電力を維持する場合、送信電力は、ＵＬ送信を行うことに成功するには十分高くない場合がある。したがって、デバイスは、デバイスのＵＬ送信が基地局における受信および復号に成功することを保証するために、基地局への経路損失に基づいてデバイスの送信電力を調整する場合がある。しかしながら、ＵＬ送信に成功するためにデバイスの送信電力を調整する、より効率的な手法が検討されてもよい。
【００４５】
[0065]  基地局は、ＵＬリソース割当て情報とともに、デバイスに送信される許可に電力制御コマンドを含めることができる。基地局は、基地局への前のＵＬ送信に基づいて電力制御コマンドを生成して、デバイスの送信電力についての電力レベルを示すことができる。こうして、デバイスが許可を受信すると、デバイスは、許可に含まれる電力制御コマンドに基づいて、ＵＬ送信用の送信電力を制御することができる。しかしながら、送信状態は送信ブロックのＵＬ送信全体を通して変化する場合があるので（たとえば、チャネル変更）、デバイスが許可を受信するときのみ電力制御コマンドに基づく電力制御が行われる場合、電力制御は、送信ブロックのＵＬ送信全体を通して、デバイスに最も効率的および効果的な送信電力を提供しない場合がある。たとえば、デバイスが許可を受信するときのみ電力制御が行われ、許可と次の許可との間で送信状態が変化する場合、デバイスは、次の許可が受信されるまで、電力制御を行いそのような変化を反映することがない場合がある。さらに、デバイスが大きな送信ブロックを送信するように試みる場合、大きな送信ブロックは多くのリソースを占有し、最良の送信電力で送信されない場合があり、リソースおよび電力の使用における非効率をもたらす。
【００４６】
[0066]  本開示によれば、１度に送信ブロック全体を送信するように試みる代わりに、デバイスは、送信ブロックをいくつかのセグメントに分割し、セグメントの送信の間に（たとえば、セグメント間の間隔の間に）更新された電力制御コマンドを受信しながら、各セグメントを個別に送信する。そのような機能を実装するために、基地局は、送信ブロックの複数のセグメント用のＵＬリソースを含む許可をデバイスに送信する。具体的には、送信ブロックのセグメントごとに、許可は、ＵＬリソースのどの部分が対応するセグメントを送信するために使用されるべきかを指定する。ＵＬリソースは、送信ブロックの複数のセグメントの送信に割り振られた、並行しないＵＬリソース（non-concurrent UL resource）であり得る。許可は、複数の電力制御コマンド用のＤＬリソースをさらに含む。具体的には、制御コマンドごとに、許可は、ＤＬリソースのどの部分が対応する電力制御コマンドを受信するために使用されるべきかを指定する。ＤＬリソースは、送信ブロックのそれぞれのセグメント用の電力制御コマンドを受信するための並行しないＤＬリソースであり得る。リソースは、デバイスが送信を変更し、ＤＬ帯域上でリソースを読み取るのに十分な時間があるように割り振られるべきである。許可は、許可が受信された後の第１の送信（たとえば、送信ブロックの第１のセグメントの送信）用の送信電力を調整するためにＵＥが使用することができる、初期電力制御コマンドを含む場合もある。許可に含まれる初期電力制御コマンドは、あらかじめ決められた電力（たとえば、低電力、全電力、もしくは中電力）を指定する場合があるか、または現在の送信ブロックの送信に先立つ前のＵＬ送信に基づく場合がある。許可は、変調およびコーディング方式（ＭＣＳ：modulation and coding scheme）を含む場合もあることに留意されたい。
【００４７】
[0067]  基地局がセグメントの送信を受信すると、基地局は、デバイスの次のセグメントのＵＬ送信用の電力制御コマンドを生成するために、デバイスにとって十分な送信電力を推定することができる。本開示によれば、電力制御コマンドは前のセグメントのＵＬ送信に基づいて電力制御を提供し、複数の電力制御コマンドは送信ブロックのＵＬ送信全体を通してセグメントの複数の送信に基づいて提供されるので、本開示によるデバイス送信電力の電力制御は、デバイスの電力制御を定期的に更新することにより、信頼性が高いＵＬ通信を提供する。言い換えれば、送信ブロックのセグメントのＵＬ送信の間に受信される複数の電力制御コマンドに基づいて、デバイスは、送信ブロックの送信全体を通して複数回送信電力を調整する。たとえば、デバイスにおいて受信される電力制御コマンドごとに、デバイスは、直近に受信された対応する電力制御コマンドに基づいて、送信電力を調整することができる。こうして、デバイスは、送信ブロックの送信全体を通して複数の電力制御コマンドによって複数回更新されたデバイス送信電力を用いて送信することができる。
【００４８】
[0068]  デバイスが送信ブロックを複数のセグメントに分割するとき、デバイスは、基地局によって指定されたセグメントのサイズに基づいて送信ブロックを分割することができる。具体的には、基地局は、各セグメントのサイズを決定し、セグメントのサイズを含むサイズ情報をデバイスに送信する。基地局は、システムのトラフィックと、経路損失と、ＳＮＲと、デバイスが送信したいメッセージサイズ（message size）とを含む１つまたは複数の要因に基づいて、各セグメントのサイズを決定することができる。たとえば、経路損失が大きい場合、および／またはＳＮＲが低い場合、基地局は各セグメントのサイズが大きくなるように設定することができる。一方、たとえば、経路損失が小さい場合、および／またはＳＮＲが高い場合、基地局は各セグメントのサイズが小さくなるように設定することができる。
【００４９】
[0069]  図５は、本開示の一態様を示す例示的な流れ図５００である。例示的な流れ図５００では、基地局５０２とデバイス５０４は互いに通信して、送信ブロックのＵＬ通信を行う。デバイス５０４はＩｏＴデバイスであり得る。５１２において、デバイス５０４は、デバイス５０４がＵＬ送信を行うためにＵＬリソースを要求することを示すランダムアクセス要求５１２を送信する。ランダムアクセス要求５１２に応答して、基地局５０２はデバイス５０４に許可５１４を送信する。許可５１４は基地局５０２によって生成される場合がある。許可は、送信ブロックのセグメントのＵＬ送信用のＵＬリソースの部分（サブセット）を含む場合があり、制御コマンドのＤＬ送信用のＤＬリソースの部分（サブセット）を含む場合がある。許可は、送信ブロックの第１のセグメント用の初期電力制御コマンドをさらに含む場合がある。５１６において、デバイス５０４は送信ブロックを複数のセグメントに分割する。送信ブロックは、基地局５０２によって示されたセグメントのサイズに基づいて、複数のセグメントに分割される場合がある。５１８において、デバイス５０４は、初期電力制御コマンド内で示された送信電力レベルに基づいて、基地局５０２に送信ブロックの第１のセグメント（セグメント１）を（たとえば、ＵＬリソースのサブセット１内で）送信することにより、第１のＵＬ送信を行う。５２０において、基地局５０２は、第１の送信に基づいて第１の電力制御コマンド（ＰＣＣ１：first power control command）を生成し、（たとえば、ＤＬリソースのサブセット１内で）デバイス５０４に第１の電力制御コマンドを送信する。５２２において、デバイス５０４は、第１の電力制御コマンド内で示された送信電力レベルに基づいて、基地局５０２に送信ブロックの第２のセグメント（セグメント２）を（たとえば、ＵＬリソースのサブセット２内で）送信することにより、第２のＵＬ送信を行う。５２４において、基地局５０２は、第２の送信に基づいて第２の電力制御コマンド（ＰＣＣ２）を生成し、（たとえば、ＤＬリソースのサブセット２内で）デバイス５０４に第２の電力制御コマンドを送信する。
【００５０】
[0070]  基地局５０２による電力制御コマンドを生成および送信するプロセス、ならびに電力制御コマンドに基づいてセグメントを送信するプロセスは、基地局５０２が送信ブロックのすべてのセグメントを受信するまで繰り返される。例示的な流れ図５００では、送信ブロックのｍ個のセグメントが存在する。したがって、デバイス５０４から（ｍ−２）個のセグメントを受信した後、５２６において、基地局５０２は、デバイス５０４からの第（ｍ−２）の送信に基づいて第（ｍ−１）の電力制御コマンド（ＰＣＣｍ−１）を生成し、（たとえば、ＤＬリソースのサブセット（ｍ−１）内で）デバイス５０４に第（ｍ−１）の電力制御コマンドを送信する。５２８において、デバイス５０４は、第（ｍ−１）の電力制御コマンド内で示された送信電力レベルに基づいて、基地局５０２に送信ブロックの第ｍのセグメント（セグメントｍ）を（たとえば、ＵＬリソースのサブセットｍ内で）送信することにより、第２のＵＬ送信を行う。５３０において、送信ブロックのｍ個のセグメントすべてを受信した後、基地局５０２は、受信されたｍ個のセグメントに基づいて送信ブロックを復号することができる。
【００５１】
[0071]  図６は、本開示の一態様を示す例示的なリソースタイムライン図６００である。例示的なリソースタイムライン図６００は、ＤＬリソース（ＤＬ周波数帯域６１０）およびＵＬリソース（ＵＬ周波数帯域６３０）の使用に関する詳細、ならびにデバイスＡ６５０についてのリソース割振りタイムライン（resource allocation time line）を提供する。初期ＤＬ期間６４２の間に、基地局は許可６１２を送信する。許可６１２は、それぞれ、第１のセグメント６３２、第２のセグメント６３４、第３のセグメント６３６、および第４のセグメント６３８のための、ＵＬリソース割振り期間（ＵＬ期間）６４２、６４４、６４６、および６４８を含む場合がある。許可６１２はまた、それぞれ、第１の電力制御コマンド６１４、第２の電力制御コマンド６１６、および第３の電力制御コマンド６１８のための、ＤＬリソース割振り６２４、６２６、および６２８を含む場合がある。許可６１２は、初期電力制御コマンドをさらに含む場合があり、その結果、デバイスは初期電力制御コマンドに基づいて第１のＵＬ送信を行うことができる。
【００５２】
[0072]  第１のＵＬ期間６５４の間に、デバイスは、初期電力制御コマンドに基づいて、基地局に送信ブロックの第１のセグメント６３２を送信することにより、第１のＵＬ送信を行う。基地局は、第１のＵＬ送信に基づいて第１の電力制御コマンド６１４を生成する。第１のＤＬ期間６５６の間に、基地局は、デバイスに第１の電力制御コマンド６１４を送信する。第１のＤＬ期間６５６の後、第２のＵＬ期間６５８の間に、デバイスは、第１の電力制御コマンド６１４に基づいて、基地局に送信ブロックの第２のセグメント６３４を送信することにより、第２のＵＬ送信を行う。第２のＤＬ期間６６０の間に、基地局は、デバイスに第２の電力制御コマンド６１６を送信し、第２の電力制御コマンド６１６は、第２のＵＬ送信に基づいて基地局によって生成される。第３のＵＬ期間６６２の間に、デバイスは、第２の電力制御コマンド６１６に基づいて、基地局に送信ブロックの第３のセグメント６３６を送信することにより、第３のＵＬ送信を行う。第３のＤＬ期間６６４の間に、基地局は、デバイスに第３の電力制御コマンド６１８を送信し、第３の電力制御コマンド６１８は、第３のＵＬ送信に基づいて基地局によって生成される。第４のＵＬ期間６６６の間に、デバイスは、第３の電力制御コマンド６１８に基づいて、基地局に送信ブロックの第４のセグメント６３８を送信することにより、第４のＵＬ送信を行う。その後、セグメントのすべてがデバイスから基地局に送信されるまで、同様のプロセスが行われる場合がある。
【００５３】
[0073]  本開示のさらなる態様では、半二重モードにおけるＵＬリソース管理は、様々なデバイスのＵＬセグメントと電力制御コマンドとを多重化することによって改善される場合がある。半二重モードでは、デバイスがＤＬ通信を行うＤＬ期間の間、デバイスはＵＬ通信を行うことができず、したがって、そのようなＤＬ期間中にＵＬリソースを利用することができない。したがって、ＵＬリソースの使用を無駄にすることを回避するために、デバイスがＤＬ通信を行う間にＵＬリソースを利用する手法が必要である。さらに、半二重モードでは、デバイスがＵＬ通信を行うＵＬ期間の間、デバイスはＤＬ通信を行うことができず、したがって、そのようなＵＬ期間中にＤＬリソースを利用することができない。したがって、ＤＬリソースの使用を無駄にすることを回避するために、デバイスがＵＬ通信を行う間にＤＬリソースを利用する手法が必要である。
【００５４】
[0074]  本開示のさらなる態様によれば、第１のデバイスがＤＬ通信を行うＤＬ期間中に、第２のデバイスはＵＬリソースを利用して、第２のデバイスからのＵＬ通信を行うことができる。したがって、第１のデバイスによるＤＬ通信中にＵＬリソースを無駄にすることが回避される場合がある。さらに、第１のデバイスがＵＬ通信を行うＵＬ期間中に、第２のデバイスはＤＬリソースを利用して、第２のデバイスにおいてＤＬ通信を受信し、第１のデバイスによるＤＬ通信中にＤＬリソースを無駄にすることを回避することができる。一例では、第１のデバイスのＵＬ期間中に、第２のデバイスは、第１のデバイスがＵＬ通信を行いデータセグメントを送信する間、ＤＬ通信を行い電力制御コマンドを受信することができる。
【００５５】
[0075]  図７は、本開示のさらなる態様を示す例示的な流れ図７００である。例示的な流れ図７００では、基地局７０２は第１のデバイス（デバイスＡ）７０４と通信して第１の送信ブロックのＵＬ通信を受信し、第２のデバイス（デバイスＢ）７０６と通信して第２の送信ブロックのＵＬ通信を受信する。第１のデバイス７０４および／または第２のデバイス７０６は、ＩｏＴデバイスであり得る。基地局７０２と第１のデバイス７０４との間の通信に関して、７１２〜７２８において行われる機能は、基地局５０２とデバイス５０４との間の通信について図５の５１２〜５２８において行われる機能と同様であり、したがって、７１２〜７２８において行われる機能の詳細説明は、簡潔にするために省略される。
【００５６】
[0076]  基地局７０２と第２のデバイス７０６との間の通信に関して、７５２において、第２のデバイス７０６は、第２のデバイス７０６がＵＬ送信を行うためにＵＬリソースを要求することを示すランダムアクセス要求７５２を送信する。ランダムアクセス要求７５２に応答して、基地局７０２は第２のデバイス７０６に許可７５４を送信する。許可７５４は基地局５０２によって生成される場合がある。許可は、送信ブロックのセグメントのＵＬ送信用のＵＬリソースの部分（サブセット）を含む場合があり、制御コマンドのＤＬ送信用のＤＬリソースの部分（サブセット）を含む場合がある。許可は、送信ブロックの第１のセグメント用の初期電力制御コマンドをさらに含む場合がある。７５６において、第２のデバイス７０６は送信ブロックを複数のセグメントに分割する。送信ブロックは、基地局７０２によって示されたセグメントのサイズに基づいて、複数のセグメントに分割される場合がある。
【００５７】
[0077]  ７５８において、第２のデバイス７０６は、初期電力制御コマンド内で示された送信電力レベルに基づいて、基地局７０２に第２の送信ブロックの第１のセグメント（セグメント１’）を（たとえば、ＵＬリソースのサブセット１’内で）送信することにより、第１のＵＬ送信を行う。基地局７０２は、７５８において、ＵＬリソースのサブセット（たとえば、ＵＬリソースのサブセット１’）上で第２のデバイス７０６から第２の送信ブロックの第１のセグメント（セグメント１’）を受信しながら、７２０において、ＤＬリソースのサブセット（たとえば、ＤＬリソースのサブセット１）上で第１のデバイス７０４向けの第１の電力制御コマンド（ＰＣＣ１：first power control command）を送信することに留意されたい。７６０において、基地局７０２は、第１の送信に基づいて第１の電力制御コマンド（ＰＣＣ１’）を生成し、（たとえば、ＤＬリソースのサブセット１’内で）第２のデバイス７０６に第１の電力制御コマンドを送信する。基地局７０２は、７２２において、ＵＬリソースのサブセット上（たとえば、ＵＬリソースのサブセット２内）で第１のデバイス７０４から第１の送信ブロックの第２のセグメント（セグメント２）を受信しながら、７６０において、ＤＬリソースのサブセット上（たとえば、ＤＬリソースのサブセット１’内）で第２のデバイス７０６向けの第１の電力制御コマンド（ＰＣＣ１’）を送信することに留意されたい。７６２において、第２のデバイス７０６は、第１の電力制御コマンド内で示された送信電力レベルに基づいて、基地局７０２に第２の送信ブロックの第２のセグメント（セグメント２’）を（たとえば、ＵＬリソースのサブセット２’内で）送信することにより、第２のＵＬ送信を行う。基地局７０２は、７６２において、ＵＬリソースのサブセット上（たとえば、ＵＬリソースのサブセット２’内）で第２のデバイス７０６から第２の送信ブロックの第２のセグメント（セグメント２’）を受信しながら、７２４において、ＤＬリソースのサブセット上（たとえば、ＤＬリソースのサブセット２内）で第１のデバイス７０４向けの第２の電力制御コマンド（ＰＣＣ２）を送信することに留意されたい。
【００５８】
[0078]  基地局７０２による電力制御コマンドを生成および送信するプロセス、ならびに電力制御コマンドに基づいてセグメントを送信するプロセスは、基地局７０２が第２のデバイス７０６から第２の送信ブロックのすべてのセグメントを受信するまで繰り返される。例示的な流れ図７００では、第２の送信ブロックのｐ個のセグメントが存在する。したがって、７６４において、第２のデバイス７０６は、第（ｐ−２）の電力制御コマンド内で示された送信電力レベルに基づいて、基地局７０２に第２の送信ブロックの第（ｐ−１）のセグメント（セグメント（ｐ−１）’）を（たとえば、ＵＬリソースのサブセット（ｐ−１）’内で）送信することにより、第（ｐ−１）のＵＬ送信を行う。基地局７０２は、７６４において、ＵＬリソースのサブセット上（たとえば、ＵＬリソースのサブセット（ｐ−１）’内）で第２のデバイス７０６から第２の送信ブロックの第（ｐ−１）のセグメント（セグメント（ｐ−１）’）を受信しながら、７２６において、ＤＬリソースのサブセット上（たとえば、ＵＬリソースのサブセット（ｍ−１）内）で第１のデバイス向けの第（ｍ−１）の電力制御コマンド（ＰＣＣｍ−１）を送信することに留意されたい。７６６において、基地局７０２は、第（ｐ−１）の送信に基づいて第２のデバイス７０６向けの第（ｐ−１）の電力制御コマンド（ＰＣＣ（ｐ−１）’）を生成し、第２のデバイス７０６に第（ｐ−１）の電力制御コマンドを送信する。基地局７０２は、７２８において、ＵＬリソースのサブセット上（たとえば、ＵＬリソースのサブセットｍ内）で第１のデバイス７０４から第１の送信ブロックの第ｍのセグメント（セグメントｍ）を受信しながら、７６６において、ＤＬリソースのサブセット上（たとえば、ＤＬリソースのサブセット（ｐ−１）’内）で第２のデバイス７０６向けの第（ｐ−１）の電力制御コマンド（ＰＣＣ（ｐ−１）’）を送信することに留意されたい。７６８において、第２のデバイス７０６は、第（ｐ−１）の電力制御コマンド内で示された送信電力レベルに基づいて、基地局７０２に第２の送信ブロックの第ｐのセグメント（セグメントｐ’）を送信することにより、第ｐのＵＬ送信を行う。７８２において、第１のデバイス７０４からの第１の送信ブロックのｍ個のセグメントすべてと、第２のデバイス７０６からの第２の送信ブロックのｐ個のセグメントすべてとを受信した後、基地局７０２は、受信されたｍ個のセグメントおよびｐ個のセグメントに基づいて、第１の送信ブロックと第２の送信ブロックとを復号することができる。
【００５９】
[0079]  図８は、本開示のさらなる態様を示す例示的なリソースタイムライン図８００である。例示的なリソースタイムライン図８００は、第１のデバイス（デバイスＡ）および第２のデバイス（デバイスＢ）によるＤＬリソース（ＤＬ周波数帯域８１０）およびＵＬリソース（ＵＬ周波数帯域８３０）の使用に関する詳細、ならびに第１のデバイス８５０についてのリソース割振りタイムラインおよび第２のデバイス８７０についてのリソースタイムラインを提供する。例示的なリソースタイムライン図８００では、第１の送信ブロックは３つのセグメント８３２、８３６、および８４０に分割され、第２の送信ブロックは３つのセグメント８３４、８４８、および８４２に分割される。
【００６０】
[0080]  第１のＵＬ期間８５２の間に、第１のデバイスは、基地局に第１の送信ブロックの第１のセグメント８３２を送信することにより、第１の送信を行う。第１のデバイスは、基地局から受信された許可に含まれる初期電力制御コマンドに基づいて、第１のセグメント８３２を送信することができる。基地局は、第１のデバイスからの第１のＵＬ送信に基づいて、第１の電力制御コマンド８１４を生成する。第１のＤＬ期間８５４の間に、基地局は、第１のデバイスに第１の電力制御コマンド８１４を送信する。第１のＤＬ期間８５４は第２のＵＬ期間８７４内に存在し、第２のデバイスは、第２のＵＬ期間８７４の間に、基地局に第２の送信ブロックの第１のセグメント８３４を送信することにより、第２のＵＬ送信を行う。したがって、第１のデバイスは、第２のデバイスがＵＬ周波数帯域の一部分を使用して第２の送信ブロックの第１のセグメント８３４を送信する間に、ＤＬ周波数帯域の一部分を使用して第１の電力制御コマンド８１４を受信する。第２のＵＬ期間８７４の後、第３のＵＬ期間８５６の間に、デバイスは、第１の電力制御コマンド８１４に基づいて、基地局に第１の送信ブロックの第２のセグメント８３６を送信することにより、第３のＵＬ送信を行う。第２のＤＬ期間８７６の間に、基地局は、第２の送信に基づいて第２の電力制御コマンド８１６を生成し、第２のデバイスに第２の電力制御コマンド８１６を送信し、第２のＤＬ期間８７６は第３のＵＬ期間８５６内に存在する。したがって、第２のデバイスは、第１のデバイスがＵＬ周波数帯域の一部分を使用して第１の送信ブロックの第２のセグメント８３６を送信する間に、ＤＬ周波数帯域の一部分を使用して第２の電力制御コマンド８１６を受信する。
【００６１】
[0081]  第３のＤＬ期間８５８の間に、基地局は、第３の送信に基づいて第３の電力制御コマンド８１８を生成し、第１のデバイスに第３の電力制御コマンド８１８を送信する。第３のＤＬ期間８５８は第４のＵＬ期間８７８内に存在し、第２のデバイスは、第４のＵＬ期間８７８の間に、基地局に第２の送信ブロックの第２のセグメント８３８を送信することにより、第４の送信を行う。したがって、第１のデバイスは、第２のデバイスが第２の送信ブロックの第２のセグメント８３８を送信する間に、第３の電力制御コマンド８１８を受信する。第４のＵＬ期間８７８の後、第５のＵＬ期間８６０の間に、デバイスは、第３の電力制御コマンド８１８に基づいて、基地局に第１の送信ブロックの第３のセグメント８４０を送信することにより、第５の送信を行う。第４のＤＬ期間８８０の間に、基地局は、第４の送信に基づいて第４の電力制御コマンド８２０を生成し、第２のデバイスに第４の電力制御コマンド８２０を送信し、第４のＤＬ期間８８０は第５のＵＬ期間８６０内に存在する。したがって、第２のデバイスは、第１のデバイスが第１の送信ブロックの第３のセグメント８４０を送信する間に、第４の電力制御コマンド８２０を受信する。第６のＵＬ期間８８２の間に、デバイスは、第４の電力制御コマンド８２０に基づいて、基地局に第２の送信ブロックの第３のセグメント８４２を送信することにより、第６の送信を行う。
【００６２】
[0082]  要約すれば、第１のデバイスがＵＬリソースを利用していないとき、第２のデバイスは、第２のＵＬ期間８７４、第４のＵＬ期間８７８、および第６のＵＬ期間８８２の間にＵＬリソースを利用して、第２の送信ブロックのセグメントを送信する。さらに、第２のデバイスがＵＬリソースを利用していないとき、第１のデバイスは、第１のＵＬ期間８５２、第３のＵＬ期間８５６、および第５のＵＬ期間８６０の間にＵＬリソースを利用して、第１の送信ブロックのセグメントを送信する。
【００６３】
[0083]  図９は、本開示の一態様による、ワイヤレス通信の方法のフローチャート９００である。方法は、基地局（たとえば、基地局５０２、装置１３０２／１３０２’）によって行われる場合がある。９０２において、基地局はデータセグメントの各々についてのサイズを決定することができる。たとえば、上記で説明されたように、基地局は、各セグメントのサイズを決定し、セグメントのサイズを含むサイズ情報をデバイスに送信することができる。
【００６４】
[0084]  ９０４において、基地局は、デバイス向けのダウンリンク許可を生成し、ダウンリンク許可は、データセグメントを送信するために割り振られたアップリンクリソースのサブセットと、それぞれのデータセグメント用の電力制御コマンドを受信するためのダウンリンクリソースのサブセットとをデバイスに示し、アップリンクリソースのサブセットはダウンリンクリソースのサブセットと並行しない。たとえば、上記で説明されたように、基地局は、送信ブロックの複数のセグメント用のＵＬリソースを含む許可をデバイスに送信する。具体的には、送信ブロックのセグメントごとに、許可は、ＵＬリソースのどの部分が対応するセグメントを送信するために使用されるべきかを指定する。たとえば、再び図５を参照すると、許可５１４は、基地局５０２によって生成される場合があり、送信ブロックのセグメントのＵＬ送信用のＵＬリソースの部分（サブセット）を含む場合があり、制御コマンドのＤＬ送信用のＤＬリソースの部分（サブセット）を含む場合がある。一態様では、アップリンクリソースのサブセットは、データセグメントの各々についてのサイズに基づいて、データセグメントを送信するために割り振られる。たとえば、上記で説明されたように、デバイスが送信ブロックを複数のセグメントに分割するとき、デバイスは、基地局によって指定されたセグメントのサイズに基づいて送信ブロックを分割することができる。一態様では、データセグメントの各々のサイズは、データトラフィック（data traffic）、デバイスへの経路損失、送信ブロックのサイズ、またはノイズレベル（noise level）のうちの少なくとも１つに基づいて決定される。たとえば、上記で説明されたように、基地局は、システムのトラフィックと、経路損失と、ＳＮＲと、デバイスが送信したいメッセージサイズとを含む１つまたは複数の要因に基づいて、各セグメントのサイズを決定することができる。
【００６５】
[0085]  ９０６において、基地局はデバイスにダウンリンク許可を送信する。たとえば、上記で説明されたように、基地局は、送信ブロックの複数のセグメント用のＵＬリソースを含む許可をデバイスに送信する。たとえば、再び図５を参照すると、ランダムアクセス要求５１２に応答して、基地局５０２はデバイス５０４に許可５１４を送信する。一態様では、ダウンリンク許可は、アップリンクリソースの第１のサブセット内に第１のアップリンク送信用の電力制御コマンドを含む。たとえば、上記で説明されたように、許可は、複数の電力制御コマンド用のＤＬリソースをさらに含む。
【００６６】
[0086]  ９０８において、基地局は、送信されたダウンリンク許可に基づいて、アップリンクリソースの第１のサブセット内で第１のアップリンク送信（uplink transmission）をデバイスから受信する。たとえば、再び図５を参照すると、５１８において、デバイス５０４は、初期電力制御コマンド内で示された送信電力レベルに基づいて、基地局５０２に送信ブロックの第１のセグメント（セグメント１）を（たとえば、ＵＬリソースのサブセット１内で）送信することにより、第１のＵＬ送信を行い、許可は、送信ブロックの第１のセグメント用の初期電力制御コマンドをさらに含む場合がある。
【００６７】
[0087]  ９１０において、基地局は、受信された第１のアップリンク送信に基づいて、第１の電力制御コマンドを生成する。９１２において、基地局は、ダウンリンクリソースの第１のサブセット内で第１の電力制御コマンドをデバイスに送信する。たとえば、再び図５を参照すると、５２０において、基地局５０２は、第１の送信に基づいて第１の電力制御コマンド（ＰＣＣ１）を生成し、（たとえば、ＤＬリソースのサブセット１内で）デバイス５０４に第１の電力制御コマンドを送信する。９１４において、以下で説明される１つまたは複数のさらなる方法が行われる場合がある。
【００６８】
[0088]  図１０Ａは、本開示の一態様による、図９のフローチャート９００から展開するワイヤレス通信の方法のフローチャート１０００である。方法は、基地局（たとえば、基地局５０２、装置１３０２／１３０２’）によって行われる場合がある。フローチャート１０００は図９の９１４から展開する。
【００６９】
[0089]  １００２において、基地局は、送信されたダウンリンク許可および送信された第１の電力制御コマンドに基づいて、アップリンクリソースの第２のサブセット内で第２のアップリンク送信をデバイスから受信する。たとえば、再び図５を参照すると、５２２において、デバイス５０４は、第１の電力制御コマンド内で示された送信電力レベルに基づいて、基地局５０２に送信ブロックの第２のセグメント（セグメント２）を（たとえば、ＵＬリソースのサブセット２内で）送信することにより、第２のＵＬ送信を行う。
【００７０】
[0090]  １００４において、基地局は、受信された第２のアップリンク送信に基づいて、第２の電力制御コマンドを生成する。１００６において、基地局は、ダウンリンクリソースの第２のサブセット内で第２の電力制御コマンドをデバイスに送信する。たとえば、再び図５を参照すると、５２４において、基地局５０２は、第２の送信に基づいて第２の電力制御コマンド（ＰＣＣ２）を生成し、（たとえば、ＤＬリソースのサブセット２内で）デバイス５０４に第２の電力制御コマンドを送信する。
【００７１】
[0091]  図１０Ｂは、本開示の一態様による、図９のフローチャート９００から展開するワイヤレス通信の方法のフローチャート１０５０である。方法は、基地局（たとえば、基地局５０２、装置１３０２／１３０２’）によって行われる場合がある。フローチャート１０００は図９の９１４から展開する。
【００７２】
[0092]  １０５２において、基地局は、送信されたダウンリンク許可および送信された第（ｎ−１）の電力制御コマンドに基づいて、アップリンクリソースの第ｎのサブセット内で第ｎのアップリンク送信をデバイスから受信する。１０５４において、基地局は、受信された第ｎのアップリンク送信に基づいて、第ｎの電力制御コマンドを生成する。１０５６において、基地局は、ダウンリンクリソースの第ｎのサブセット内で第ｎの電力制御コマンドをデバイスに送信する。一態様では、ｎは２よりも大きいかまたはそれに等しい。たとえば、再び図５を参照すると、基地局５０２による電力制御コマンドを生成および送信するプロセス、ならびに電力制御コマンドに基づいてセグメントを送信するプロセスは、基地局５０２が送信ブロックのすべてのセグメントを受信するまで繰り返される。たとえば、再び図５を参照すると、５２６において、基地局５０２は、デバイス５０４からの第（ｍ−２）の送信に基づいて第（ｍ−１）の電力制御コマンド（ＰＣＣｍ−１）を生成し、（たとえば、ＤＬリソースのサブセット（ｍ−１）内で）デバイス５０４に第（ｍ−１）の電力制御コマンドを送信する。
【００７３】
[0093]  図１１は、本開示の一態様による、ワイヤレス通信の方法のフローチャート１１００である。方法は、基地局（たとえば、基地局４０２、装置１３０２／１３０２’）によって行われる場合がある。１１０２において、基地局は、デバイス向けのダウンリンク許可を生成し、ダウンリンク許可は、データセグメントを送信するために割り振られたアップリンクリソースのサブセットと、それぞれのデータセグメント用の電力制御コマンドを受信するためのダウンリンクリソースのサブセットとをデバイスに示し、アップリンクリソースのサブセットはダウンリンクリソースのサブセットと並行しない。たとえば、上記で説明されたように、基地局は、送信ブロックの複数のセグメント用のＵＬリソースを含む許可をデバイスに送信する。具体的には、送信ブロックのセグメントごとに、許可は、ＵＬリソースのどの部分が対応するセグメントを送信するために使用されるべきかを指定する。たとえば、再び図７を参照すると、許可７１４は、基地局７０２によって生成される場合があり、送信ブロックのセグメントのＵＬ送信用のＵＬリソースの部分（サブセット）を含む場合があり、制御コマンドのＤＬ送信用のＤＬリソースの部分（サブセット）を含む場合がある。１１０４において、基地局はデバイスにダウンリンク許可を送信する。一態様では、ダウンリンク許可は、アップリンクリソースの第１のサブセット内に第１のアップリンク送信用の電力制御コマンドを含む。たとえば、再び図７を参照すると、ランダムアクセス要求７１２に応答して、基地局７０２は第１のデバイス７０４に許可７１４を送信する。
【００７４】
[0094]  １１０６において、基地局は、第２のデバイス向けの第２のダウンリンク許可を生成し、ダウンリンク許可は、第２のデータセグメントを送信するためのアップリンクリソースの他のサブセットと、第２のデバイス向けの電力制御コマンドを受信するためのダウンリンクリソースの他のサブセットとを第２のデバイスに示し、アップリンクリソースの他のサブセットは、ダウンリンクリソースの他のサブセットと並行せず（non-concurrent）、アップリンクリソースのサブセットと並行しない。１１０８において、基地局は第２のデバイスに第２のダウンリンク許可を送信する。たとえば、再び図７を参照すると、ランダムアクセス要求７５２に応答して、基地局７０２は第２のデバイス７０６に許可７５４を送信し、許可７５４は基地局５０２によって生成される場合がある。たとえば、上記で説明されたように、許可は、送信ブロックのセグメントのＵＬ送信用のＵＬリソースの部分（サブセット）を含む場合があり、制御コマンドのＤＬ送信用のＤＬリソースの部分（サブセット）を含む場合がある。
【００７５】
[0095]  １１１０において、基地局は、送信されたダウンリンク許可に基づいて、アップリンクリソースの第１のサブセット内で第１のアップリンク送信をデバイスから受信する。たとえば、再び図７を参照すると、７１８において、デバイス７０４は、初期電力制御コマンド内で示された送信電力レベルに基づいて、基地局７０２に送信ブロックの第１のセグメント（セグメント１）を（たとえば、ＵＬリソースのサブセット１内で）送信することにより、第１のＵＬ送信を行い、許可は、送信ブロックの第１のセグメント用の初期電力制御コマンドをさらに含む場合がある。
【００７６】
[0096]  １１１２において、基地局は、受信された第１のアップリンク送信に基づいて、デバイス向けの第１の電力制御コマンドを生成する。１１１４において、基地局は、送信された第２のダウンリンク許可に基づいて、アップリンクリソースの第２のサブセット内で第２のアップリンク送信を第２のデバイスから受信しながら、ダウンリンクリソースの第１のサブセット内で第１の電力制御コマンドをデバイスに送信する。たとえば、再び図７を参照すると、７２０において、基地局７０２は、第１の送信に基づいて第１の電力制御コマンド（ＰＣＣ１）を生成し、（たとえば、ＤＬリソースのサブセット１内で）第１のデバイス７０４に第１の電力制御コマンドを送信する。たとえば、再び図７を参照すると、基地局７０２は、７５８において、ＵＬリソースのサブセット（たとえば、ＵＬリソースのサブセット１’）上で第２のデバイス７０６から第２の送信ブロックの第１のセグメント（セグメント１’）を受信しながら、７２０において、ＤＬリソースのサブセット（たとえば、ＤＬリソースのサブセット１）上で第１のデバイス７０４向けの第１の電力制御コマンド（ＰＣＣ１）を送信する。１１１６において、以下で説明される１つまたは複数のさらなる方法が行われる場合がある。
【００７７】
[0097]  図１２Ａは、本開示の一態様による、図１１のフローチャート１１００から展開するワイヤレス通信の方法のフローチャート１２００である。方法は、基地局（たとえば、基地局４０２、装置１３０２／１３０２’）によって行われる場合がある。フローチャート１２００は図１１の１１１６から展開する。
【００７８】
[0098]  １２０２において、基地局は、受信された第２のアップリンク送信に基づいて、第２のデバイス向けの第２の電力制御コマンドを生成する。たとえば、再び図７を参照すると、７６０において、基地局７０２は、第１の送信に基づいて第１の電力制御コマンド（ＰＣＣ１’）を生成し、（たとえば、ＤＬリソースのサブセット１’内で）第２のデバイス７０６に第１の電力制御コマンドを送信する。１２０４において、基地局は、送信されたダウンリンク許可および送信された第１の電力制御コマンドに基づいて、アップリンクリソースの第３のサブセット内で第３のアップリンク送信をデバイスから受信しながら、ダウンリンクリソースの第２のサブセット内で第２のデバイス向けの第２の電力制御コマンドを第２のデバイスに送信する。たとえば、再び図７を参照すると、基地局７０２は、７２２において、ＵＬリソースのサブセット上（たとえば、ＵＬリソースのサブセット２内）で第１のデバイス７０４から第１の送信ブロックの第２のセグメント（セグメント２）を受信しながら、７６０において、ＤＬリソースのサブセット上（たとえば、ＤＬリソースのサブセット１’内）で第２のデバイス７０６向けの第１の電力制御コマンド（ＰＣＣ１’）を送信する。
【００７９】
[0099]  １２０６において、基地局は、受信された第３のアップリンク送信に基づいて、デバイス向けの第３の電力制御コマンドを生成する。たとえば、再び図７を参照すると、７２４において、基地局７０２は、第２の送信に基づいて第２の電力制御コマンド（ＰＣＣ２）を生成し、（たとえば、ＤＬリソースのサブセット２内で）第１のデバイス７０４に第２の電力制御コマンドを送信する。１２０８において、基地局は、送信された第２のダウンリンク許可および送信された第２の電力制御コマンドに基づいて、アップリンクリソースの第４のサブセット内で第４のアップリンク送信を第２のデバイスから受信しながら、ダウンリンクリソースの第３のサブセット内でデバイス向けの第３の電力制御コマンドをデバイスに送信する。たとえば、再び図７を参照すると、基地局７０２は、７６２において、ＵＬリソースのサブセット上（たとえば、ＵＬリソースのサブセット２’内）で第２のデバイス７０６から第２の送信ブロックの第２のセグメント（セグメント２’）を受信しながら、７２４において、ＤＬリソースのサブセット上（たとえば、ＤＬリソースのサブセット２内）で第１のデバイス７０４向けの第２の電力制御コマンド（ＰＣＣ２）を送信する。
【００８０】
[00100]  図１２Ｂは、本開示の一態様による、図１１のフローチャート１１００から展開するワイヤレス通信の方法のフローチャート１２５０である。方法は、基地局（たとえば、基地局４０２、装置１３０２／１３０２’）によって行われる場合がある。フローチャート１２５０は図１１の１１１６から展開する。
【００８１】
[00101]  １２５２において、基地局は、受信された第ｎのアップリンク送信に基づいて、第２のデバイス向けの第ｎの電力制御コマンドを生成する。１２５４において、基地局は、送信されたダウンリンク許可および送信された第（ｎ−１）の電力制御コマンドに基づいて、アップリンクリソースの第（ｎ＋１）のサブセット内で第（ｎ＋１）のアップリンク送信をデバイスから受信しながら、ダウンリンクリソースの第ｎのサブセット内で第２のデバイス向けの第ｎの電力制御コマンドを第２のデバイスに送信する。１２５６において、基地局は、受信された第（ｎ＋１）のアップリンク送信に基づいて、デバイス向けの第（ｎ＋１）の電力制御コマンドを生成する。１２５８において、基地局は、送信されたダウンリンク許可および送信された第ｎの電力制御コマンドに基づいて、アップリンクリソースの第（ｎ＋２）のサブセット内で第（ｎ＋２）のアップリンク送信を第２のデバイスから受信しながら、ダウンリンクリソースの第（ｎ＋１）のサブセット内でデバイス向けの第（ｎ＋１）の電力制御コマンドをデバイスに送信する。一態様では、ｎは２よりも大きいかまたはそれに等しい偶数（even）である。
【００８２】
[00102]  たとえば、再び図７を参照すると、７６４において、第２のデバイス７０６は、第（ｐ−２）の電力制御コマンド内で示された送信電力レベルに基づいて、基地局７０２に第２の送信ブロックの第（ｐ−１）のセグメント（セグメント（ｐ−１）’）を（たとえば、ＵＬリソースのサブセット（ｐ−１）’内で）送信することにより、第（ｐ−１）のＵＬ送信を行う。たとえば、再び図７を参照すると、基地局７０２は、７６４において、ＵＬリソースのサブセット上（たとえば、ＵＬリソースのサブセット（ｐ−１）’内）で第２のデバイス７０６から第２の送信ブロックの第（ｐ−１）のセグメント（セグメント（ｐ−１）’）を受信しながら、７２６において、ＤＬリソースのサブセット上（たとえば、ＵＬリソースのサブセット（ｍ−１）内）で第１のデバイス向けの第（ｍ−１）の電力制御コマンド（ＰＣＣｍ−１）を送信する。たとえば、再び図７を参照すると、基地局７０２は、７２８において、ＵＬリソースのサブセット上（たとえば、ＵＬリソースのサブセットｍ内）で第１のデバイス７０４から第１の送信ブロックの第ｍのセグメント（セグメントｍ）を受信しながら、７６６において、ＤＬリソースのサブセット上（たとえば、ＤＬリソースのサブセット（ｐ−１）’内）で第２のデバイス７０６向けの第（ｐ−１）の電力制御コマンド（ＰＣＣ（ｐ−１）’）を送信する。
【００８３】
[00103]  図１３は、例示的な装置１３０２内の様々な手段／構成要素間のデータフローを示す概念データフロー図１３００である。装置は基地局であり得る。装置は、受信構成要素（reception component）１３０４と、送信構成要素（transmission component）１３０６と、ＤＬ許可管理構成要素（DL grant management component）１３０８と、データセグメント管理構成要素（data segment management component）１３１０と、ＵＬ通信管理構成要素（UL communication management component）１３１２と、電力制御コマンド管理構成要素（power control command management component）１３１４とを含む。
【００８４】
[00104]  ＤＬ許可管理構成要素１３０８は、デバイス（たとえば、第１のデバイス（デバイスＡ）１３５０）向けのダウンリンク許可を生成し、ダウンリンク許可は、データセグメントを送信するために割り振られたアップリンクリソースのサブセットと、それぞれのデータセグメント用の電力制御コマンドを受信するためのダウンリンクリソースのサブセットとを第１のデバイス１３５０に示し、アップリンクリソースのサブセットはダウンリンクリソースのサブセットと並行しない。ＤＬ許可管理構成要素１３０８はまた、１３６６において、受信構成要素１３０４から通信を受信する場合がある。データセグメント管理構成要素１３１０は、データセグメントの各々についてのサイズを決定することができる。データセグメント管理構成要素１３１０はまた、１３７０において、受信構成要素１３０４から通信を受信する場合がある。データセグメント管理構成要素１３１０は、１３７２および１３７４において、第１のデバイス１３５０にデータセグメントの各々についてのサイズを、送信構成要素１３０６を介して送信する場合がある。一態様では、アップリンクリソースのサブセットは、データセグメントの各々についてのサイズに基づいて、データセグメントを送信するために割り振られる。一態様では、データセグメントの各々のサイズは、データトラフィック、第１のデバイス１３５０への経路損失、送信ブロックのサイズ、またはノイズレベルのうちの少なくとも１つに基づいて決定される。ＤＬ許可管理構成要素１３０８は、１３６８および１３７４において、第１のデバイス１３５０にダウンリンク許可を、送信構成要素１３０６を介して送信する。一態様では、ダウンリンク許可は、アップリンクリソースの第１のサブセット内に第１のアップリンク送信用の電力制御コマンドを含む。
【００８５】
[00105]  一態様によれば、ＵＬ通信管理構成要素１３１２は、１３７６および１３７８において、送信されたダウンリンク許可に基づいて、アップリンクリソースの第１のサブセット内で第１のアップリンク送信を、第１のデバイス１３５０から受信構成要素１３０４を介して受信する。電力制御コマンド管理構成要素１３１４は、１３８０において、受信された第１のアップリンク送信に基づいて第１の電力制御コマンドを生成する。電力制御コマンド管理構成要素１３１４は、１３８２および１３７４において、ダウンリンクリソースの第１のサブセット内で第１の電力制御コマンドを、第１のデバイス１３５０に送信構成要素１３０６を介して送信する。
【００８６】
[00106]  そのような態様では、ＵＬ通信管理構成要素１３１２は、１３７６および１３７８において、送信されたダウンリンク許可および送信された第１の電力制御コマンドに基づいて、アップリンクリソースの第２のサブセット内で第２のアップリンク送信を、第１のデバイス１３５０から受信構成要素１３０４を介して受信する。電力制御コマンド管理構成要素１３１４は、１３８０において、受信された第２のアップリンク送信に基づいて第２の電力制御コマンドを生成する。電力制御コマンド管理構成要素１３１４は、１３８２および１３７４において、ダウンリンクリソースの第２のサブセット内で第２の電力制御コマンドを、第１のデバイス１３５０に送信構成要素１３０６を介して送信する。
【００８７】
[00107]  そのような態様では、ＵＬ通信管理構成要素１３１２は、１３７６および１３７８において、送信されたダウンリンク許可および送信された第（ｎ−１）の電力制御コマンドに基づいて、アップリンクリソースの第ｎのサブセット内で第ｎのアップリンク送信を、第１のデバイス１３５０から受信構成要素１３０４を介して受信する。電力制御コマンド管理構成要素１３１４は、１３８０において、受信された第ｎのアップリンク送信に基づいて第ｎの電力制御コマンドを生成する。電力制御コマンド管理構成要素１３１４は、１３８２および１３７４において、ダウンリンクリソースの第ｎのサブセット内で第ｎの電力制御コマンドを、第１のデバイス１３５０に送信構成要素１３０６を介して送信する。一態様では、ｎは２よりも大きいかまたはそれに等しい。
【００８８】
[00108]  別の態様によれば、ＤＬ許可管理構成要素１１０８は、第２のデバイス（たとえば、第２のデバイス（デバイスＢ）１３６０）向けの第２のダウンリンク許可を生成し、ダウンリンク許可は、第２のデータセグメントを送信するためのアップリンクリソースの他のサブセットと、第２のデバイス１３６０向けの電力制御コマンドを受信するためのダウンリンクリソースの他のサブセットとを第２のデバイス１３６０に示し、アップリンクリソースの他のサブセットは、ダウンリンクリソースの他のサブセットと並行せず、アップリンクリソースのサブセットと並行しない。ＤＬ許可管理構成要素１３０８は、１３６８および１３８４において、第２のデバイス１３６０に第２のダウンリンク許可を、送信構成要素１３０６を介して送信する。ＵＬ通信管理構成要素１３１２は、１３８６および１３７８において、送信されたダウンリンク許可に基づいて、アップリンクリソースの第１のサブセット内で第１のアップリンク送信を、第１のデバイス１３５０から受信構成要素１３０４を介して受信する。電力制御コマンド管理構成要素１３１４は、１３８０において、受信された第１のアップリンク送信に基づいて、第１のデバイス１３５０向けの第１の電力制御コマンドを生成する。電力制御コマンド管理構成要素１３１４は、１３８６および１３７８において、送信された第２のダウンリンク許可に基づいて、アップリンクリソースの第２のサブセット内で第２のアップリンク送信を、第２のデバイス１３６０から受信構成要素１３０４およびＵＬ通信管理構成要素１３１２を介して受信しながら、１３８２および１３７４において、ダウンリンクリソースの第１のサブセット内で第１の電力制御コマンドを、第１のデバイス１３５０に送信構成要素１３０６を介して送信する。
【００８９】
[00109]  そのような態様では、電力制御コマンド管理構成要素１３１４は、１３８０において、受信された第２のアップリンク送信に基づいて、第２のデバイス１３６０向けの第２の電力制御コマンドを生成する。電力制御コマンド管理構成要素１３１４は、１３７６および１３７８において、送信されたダウンリンク許可および送信された第１の電力制御コマンドに基づいて、アップリンクリソースの第３のサブセット内で第３のアップリンク送信を、第１のデバイス１３５０から受信構成要素１３０４およびＵＬ通信管理構成要素１３１２を介して受信しながら、１３８２および１３８４において、ダウンリンクリソースの第２のサブセット内で第２のデバイス１３６０向けの第２の電力制御コマンドを、第２のデバイス１３６０に送信構成要素１３０６を介して送信する。電力制御コマンド管理構成要素１３１４は、１３８０において、受信された第３のアップリンク送信に基づいて、第１のデバイス１３５０向けの第３の電力制御コマンドを生成する。電力制御コマンド管理構成要素１３１４は、１３８６および１３７８において、送信された第２のダウンリンク許可および送信された第２の電力制御コマンドに基づいて、アップリンクリソースの第４のサブセット内で第４のアップリンク送信を、第２のデバイス１３６０から受信構成要素１３０４およびＵＬ通信管理構成要素１３１２を介して受信しながら、１３８２および１３７４において、ダウンリンクリソースの第３のサブセット内で第１のデバイス１３５０向けの第３の電力制御コマンドを、第１のデバイス１３５０に送信構成要素１３０６を介して送信する。
【００９０】
[00110]  そのような態様では、電力制御コマンド管理構成要素１３１４は、１３８０において、受信された第ｎのアップリンク送信に基づいて、第２のデバイス１３６０向けの第ｎの電力制御コマンドを生成する。電力制御コマンド管理構成要素１３１４は、１３７６および１３７８において、送信されたダウンリンク許可および送信された第（ｎ−１）の電力制御コマンドに基づいて、アップリンクリソースの第（ｎ＋１）のサブセット内で第（ｎ＋１）のアップリンク送信を、第１のデバイス１３５０から受信構成要素１３０４およびＵＬ通信管理構成要素１３１２を介して受信しながら、１３８２および１３８４において、ダウンリンクリソースの第ｎのサブセット内で第２のデバイス１３６０向けの第ｎの電力制御コマンドを、第２のデバイス１３６０に送信構成要素１３０６を介して送信する。電力制御コマンド管理構成要素１３１４は、１３８０において、受信された第（ｎ＋１）のアップリンク送信に基づいて、第１のデバイス１３５０向けの第（ｎ＋１）の電力制御コマンドを生成する。電力制御コマンド管理構成要素１３１４は、１３８６および１３７８において、送信されたダウンリンク許可および送信された第ｎの電力制御コマンドに基づいて、アップリンクリソースの第（ｎ＋２）のサブセット内で第（ｎ＋２）のアップリンク送信を、第２のデバイス１３６０から受信構成要素１３０４およびＵＬ通信管理構成要素１３１２を介して受信しながら、１３８２および１３７４において、ダウンリンクリソースの第（ｎ＋１）のサブセット内で第１のデバイス１３５０向けの第（ｎ＋１）の電力制御コマンドを、第１のデバイス１３５０に送信構成要素１３０６を介して送信する。一態様では、ｎは２よりも大きいかまたはそれに等しい偶数である。
【００９１】
[00111]  装置は、図９〜図１２の上述のフローチャート内のアルゴリズムのブロックの各々を行うさらなる構成要素を含む場合がある。したがって、図９〜図１２の上述のフローチャート内の各ブロックは、１つの構成要素によって行われる場合があり、装置は、それらの構成要素のうちの１つまたは複数を含む場合がある。構成要素は、述べられたプロセス／アルゴリズムを遂行するように具体的に構成された１つもしくは複数のハードウェア構成要素であるか、述べられたプロセス／アルゴリズムを行うように構成されたプロセッサによって実装されるか、プロセッサによる実装のためにコンピュータ可読媒体内に記憶されるか、またはそれらの何らかの組合せであり得る。
【００９２】
[00112]  図１４は、処理システム１４１４を採用する装置１７０２’のためのハードウェア実装形態の一例を示す図１４００である。処理システム１４１４は、バス１４２４によって全体的に表されるバスアーキテクチャを用いて実装される場合がある。バス１４２４は、処理システム１４１４の具体的な適用例および全体的な設計制約に応じて、任意の数の相互接続バスとブリッジとを含む場合がある。バス１４２４は、プロセッサ１４０４によって表される１つまたは複数のプロセッサおよび／またはハードウェア構成要素と、構成要素１００４、１００６、１００８、１０１０、１０１２、１０１４と、コンピュータ可読媒体／メモリ１４０６とを含む様々な回路を互いにリンクする。バス１４２４はまた、タイミングソース、周辺装置、電圧調整器、および電力管理回路（power management circuit）などの、様々な他の回路をリンクする場合があるが、これらの回路は当技術分野においてよく知られており、したがって、これ以上説明されない。
【００９３】
[00113]  処理システム１４１４は、トランシーバ１４１０に結合される場合がある。トランシーバ１４１０は、１つまたは複数のアンテナ１４２０に結合される。トランシーバ１４１０は、送信媒体を介して様々な他の装置と通信するための手段を提供する。トランシーバ１４１０は、１つまたは複数のアンテナ１４２０から信号を受信し、受信された信号から情報を抽出し、抽出された情報を処理システム１４１４、具体的には受信構成要素１３０４に供給する。加えて、トランシーバ１４１０は、処理システム１４１４、具体的には送信構成要素１３０６から情報を受信し、受信された情報に基づいて、１つまたは複数のアンテナ１４２０に印加されるべき信号を生成する。処理システム１４１４は、コンピュータ可読媒体／メモリ１４０６に結合されたプロセッサ１４０４を含む。プロセッサ１４０４は、コンピュータ可読媒体／メモリ１４０６に記憶されたソフトウェアの実行を含む全体的な処理に関与する。ソフトウェアは、プロセッサ１４０４によって実行されると、任意の特定の装置のための上記に記載された様々な機能を処理システム１４１４に行わさせる。コンピュータ可読媒体／メモリ１４０６は、ソフトウェアを実行するときにプロセッサ１４０４によって操作されるデータを記憶するために使用される場合もある。処理システム１４１４は、構成要素１３０４、１３０６、１３０８、１３１３，１３１２、１３１４のうちの少なくとも１つをさらに含む。それらの構成要素は、プロセッサ１４０４内で動作し、コンピュータ可読媒体／メモリ１４０６に常駐する／記憶されたソフトウェア構成要素、プロセッサ１４０４に結合された１つもしくは複数のハードウェア構成要素、またはそれらの何らかの組合せであり得る。処理システム１４１４は、ｅＮＢ３１０の構成要素の場合があり、メモリ３７６、ならびに／またはＴＸプロセッサ３１６、ＲＸプロセッサ３７０、およびコントローラ／プロセッサ３７５のうちの少なくとも１つを含む場合がある。
【００９４】
[00114]  一構成では、ワイヤレス通信のための装置１３０２／１３０２’は、デバイス（たとえば、第１のデバイス１３５０）向けのダウンリンク許可を生成するための手段と、ダウンリンク許可は、データセグメントを送信するために割り振られたアップリンクリソースのサブセットと、それぞれのデータセグメント用の電力制御コマンドを受信するためのダウンリンクリソースのサブセットとをデバイスに示し、アップリンクリソースのサブセットはダウンリンクリソースのサブセットと並行しない、デバイスにダウンリンク許可を送信するための手段と、送信されたダウンリンク許可に基づいてアップリンクリソースの第１のサブセット内で第１のアップリンク送信をデバイスから受信するための手段と、受信された第１のアップリンク送信に基づいて第１の電力制御コマンドを生成するための手段と、ダウンリンクリソースの第１のサブセット内で第１の電力制御コマンドをデバイスに送信するための手段とを含む。装置１３０２／１３０２’は、送信されたダウンリンク許可および送信された第１の電力制御コマンドに基づいて、アップリンクリソースの第２のサブセット内で第２のアップリンク送信をデバイスから受信するための手段と、受信された第２のアップリンク送信に基づいて第２の電力制御コマンドを生成するための手段と、ダウンリンクリソースの第２のサブセット内で第２の電力制御コマンドをデバイスに送信するための手段とを含む場合がある。装置１３０２／１３０２’は、送信されたダウンリンク許可および送信された第（ｎ−１）の電力制御コマンドに基づいて、アップリンクリソースの第ｎのサブセット内で第ｎのアップリンク送信をデバイスから受信するための手段と、受信された第ｎのアップリンク送信に基づいて第ｎの電力制御コマンドを生成するための手段と、ダウンリンクリソースの第ｎのサブセット内で第ｎの電力制御コマンドをデバイスに送信するための手段とを含む場合があり、ｎは２よりも大きいかまたはそれに等しい。装置１３０２／１３０２’は、データセグメントの各々についてのサイズを決定するための手段を含む場合があり、アップリンクリソースのサブセットは、データセグメントの各々についてのサイズに基づいてデータセグメントを送信するために割り振られる。
【００９５】
[00115]  別の態様では、装置１３０２／１３０２’は、第２のデバイス（たとえば、第２のデバイス１３６０）向けの第２のダウンリンク許可を生成するための手段と、ダウンリンク許可は、第２のデータセグメントを送信するためにアップリンクリソースの他のサブセットと、第２のデバイス向けの電力制御コマンドを受信するためのダウンリンクリソースの他のサブセットとを第２のデバイスに示し、アップリンクリソースの他のサブセットは、ダウンリンクリソースの他のサブセットと並行せず、アップリンクリソースのサブセットと並行しない、第２のデバイスに第２のダウンリンク許可を送信するための手段と、送信されたダウンリンク許可に基づいてアップリンクリソースの第１のサブセット内で第１のアップリンク送信をデバイスから受信するための手段と、受信された第１のアップリンク送信に基づいてデバイス向けの第１の電力制御コマンドを生成するための手段と、送信された第２のダウンリンク許可に基づいてアップリンクリソースの第２のサブセット内で第２のアップリンク送信を第２のデバイスから受信しながら、ダウンリンクリソースの第１のサブセット内で第１の電力制御コマンドをデバイスに送信するための手段とを含む場合がある。
【００９６】
[00116]  そのような態様では、装置１３０２／１３０２’は、受信された第２のアップリンク送信に基づいて第２のデバイス向けの第２の電力制御コマンドを生成するための手段と、受信されたダウンリンク許可および受信された第１の電力制御コマンドに基づいて、アップリンクリソースの第３のサブセット内で第３のアップリンク送信をデバイスから受信しながら、ダウンリンクリソースの第２のサブセット内で第２のデバイス向けの第２の電力制御コマンドを第２のデバイスに送信するための手段と、受信された第３のアップリンク送信に基づいてデバイス向けの第３の電力制御コマンドを生成するための手段と、受信された第２のダウンリンク許可および受信された第２の電力制御コマンドに基づいて、アップリンクリソースの第４のサブセット内で第４のアップリンク送信を第２のデバイスから受信しながら、ダウンリンクリソースの第３のサブセット内でデバイス向けの第３の電力制御コマンドをデバイスに送信するための手段とを含む場合がある。装置１３０２／１３０２’は、受信された第ｎのアップリンク送信に基づいて第２のデバイス向けの第ｎの電力制御コマンドを生成するための手段と、受信されたダウンリンク許可および受信された第（ｎ−１）の電力制御コマンドに基づいて、アップリンクリソースの第（ｎ＋１）のサブセット内で第（ｎ＋１）のアップリンク送信をデバイスから受信しながら、ダウンリンクリソースの第ｎのサブセット内で第２のデバイス向けの第ｎの電力制御コマンドを第２のデバイスに送信するための手段と、受信された第（ｎ＋１）のアップリンク送信に基づいてデバイス向けの第（ｎ＋１）の電力制御コマンドを生成するための手段と、受信されたダウンリンク許可および受信された第ｎの電力制御コマンドに基づいて、アップリンクリソースの第（ｎ＋２）のサブセット内で第（ｎ＋２）のアップリンク送信を第２のデバイスから受信しながら、ダウンリンクリソースの第（ｎ＋１）のサブセット内でデバイス向けの第（ｎ＋１）の電力制御コマンドをデバイスに送信するための手段とを含む場合があり、ｎは２よりも大きいかまたはそれに等しい偶数である。
【００９７】
[00117]  上述の手段は、上述の手段によって列挙された機能を行うように構成された、装置１７０２、および／または装置１７０２’の処理システム１４１４の上述の構成要素のうちの１つまたは複数であり得る。上記で説明されたように、処理システム１４１４は、ＴＸプロセッサ３１６と、ＲＸプロセッサ３７０と、コントローラ／プロセッサ３７５とを含む場合がある。したがって、一構成では、上述の手段は、上述の手段によって列挙された機能を行うように構成されたＴＸプロセッサ３１６、ＲＸプロセッサ３７０、およびコントローラ／プロセッサ３７５であり得る。
【００９８】
[00118]  図１５は、本開示の一態様による、ワイヤレス通信の方法のフローチャート１５００である。方法は、デバイス（たとえば、デバイス５０４、装置１７０２／１７０２’）によって行われる場合がある。１５０２において、デバイスは、デバイスへのデータセグメントの各々についてのサイズを受信する。たとえば、上記で説明されたように、基地局は、各セグメントのサイズを決定し、セグメントのサイズを含むサイズ情報をデバイスに送信することができる。
【００９９】
[00119]  １５０４において、デバイスは、データの送信ブロックをデータセグメントに分割する。一態様では、データの送信ブロックは、データセグメントの各々についてのサイズに基づいてデータセグメントに分割される。たとえば、上記で説明されたように、デバイスが送信ブロックを複数のセグメントに分割するとき、デバイスは、基地局によって指定されたセグメントのサイズに基づいて送信ブロックを分割することができる。一態様では、データセグメントの各々のサイズは、データトラフィック、デバイスへの経路損失、送信ブロックのサイズ、またはノイズレベルのうちの少なくとも１つに基づいて決定される。たとえば、上記で説明されたように、基地局は、システムのトラフィックと、経路損失と、ＳＮＲと、デバイスが送信したいメッセージサイズとを含む１つまたは複数の要因に基づいて、各セグメントのサイズを決定することができる。
【０１００】
[00120]  １５０６において、デバイスは、データセグメントを通信するためのアップリンクリソースに対する要求を送信する。たとえば、再び図５を参照すると、デバイス５０４は、デバイス５０４がＵＬ送信を行うためにＵＬリソースを要求することを示すランダムアクセス要求５１２を送信する。１５０８において、デバイスは、デバイス向けのダウンリンク許可を受信し、ダウンリンク許可は、データセグメントを送信するために割り振られたアップリンクリソースのサブセットと、それぞれのデータセグメント用の電力制御コマンドを受信するためのダウンリンクリソースのサブセットとをデバイスに示し、アップリンクリソースのサブセットはダウンリンクリソースのサブセットと並行しない。たとえば、再び図５を参照すると、ランダムアクセス要求５１２に応答して、基地局５０２はデバイス５０４に許可５１４を送信する。たとえば、上記で説明されたように、許可は、送信ブロックのセグメントのＵＬ送信用のＵＬリソースの部分（サブセット）を含む場合があり、制御コマンドのＤＬ送信用のＤＬリソースの部分（サブセット）を含む場合がある。一態様では、ダウンリンク許可は、アップリンクリソースの第１のサブセット内に第１のアップリンク送信用の電力制御コマンドを含む。たとえば、上記で説明されたように、許可は、送信ブロックの第１のセグメント用の初期電力制御コマンドをさらに含む場合がある。
【０１０１】
[00121]  １５１０において、デバイスは、受信されたダウンリンク許可に基づいて、アップリンクリソースの第１のサブセット内で第１のアップリンク送信を基地局に送信する。たとえば、再び図５を参照すると、デバイス５０４は、初期電力制御コマンド内で示された送信電力レベルに基づいて、基地局５０２に送信ブロックの第１のセグメント（セグメント１）を（たとえば、ＵＬリソースのサブセット１内で）送信することにより、第１のＵＬ送信を行う。１５１２において、デバイスは、ダウンリンクリソースの第１のサブセット内で第１の電力制御コマンドを基地局から受信する。一態様では、第１の電力制御コマンドは送信された第１のアップリンク送信に基づく。たとえば、再び図５を参照すると、５２０において、基地局５０２は、第１の送信に基づいて第１の電力制御コマンド（ＰＣＣ１）を生成し、（たとえば、ＤＬリソースのサブセット１内で）デバイス５０４に第１の電力制御コマンドを送信する。１５１４において、以下で説明される１つまたは複数のさらなる方法が行われる場合がある。
【０１０２】
[00122]  図１６Ａは、本開示の一態様による、図１５のフローチャート１５００から展開するワイヤレス通信の方法のフローチャート１６００である。方法は、デバイス（たとえば、デバイス５０４、装置１７０２／１７０２’）によって行われる場合がある。フローチャート１６００は図１５の１５１４から展開する。
【０１０３】
[00123]  １６０２において、デバイスは、受信されたダウンリンク許可および受信された第１の電力制御コマンドに基づいて、アップリンクリソースの第２のサブセット内で第２のアップリンク送信を基地局に送信する。たとえば、再び図５を参照すると、５２２において、デバイス５０４は、第１の電力制御コマンド内で示された送信電力レベルに基づいて、基地局５０２に送信ブロックの第２のセグメント（セグメント２）を（たとえば、ＵＬリソースのサブセット２内で）送信することにより、第２のＵＬ送信を行う。１６０４において、デバイスは、ダウンリンクリソースの第２のサブセット内で第２の電力制御コマンドを基地局から受信し、第２の電力制御コマンドは送信された第２のアップリンク送信に基づく。たとえば、再び図５を参照すると、５２４において、基地局５０２は、第２の送信に基づいて第２の電力制御コマンド（ＰＣＣ２）を生成し、（たとえば、ＤＬリソースのサブセット２内で）デバイス５０４に第２の電力制御コマンドを送信する。
【０１０４】
[00124]  図１６Ｂは、本開示の一態様による、図１５のフローチャート１５００から展開するワイヤレス通信の方法のフローチャート１６５０である。方法は、デバイス（たとえば、デバイス５０４、装置１７０２／１７０２’）によって行われる場合がある。フローチャート１６５０は図１５の１５１４から展開する。
【０１０５】
[00125]  １６５２において、デバイスは、受信されたダウンリンク許可および受信された第（ｎ−１）の電力制御コマンドに基づいて、アップリンクリソースの第ｎのサブセット内で第ｎのアップリンク送信を基地局に送信する。１６５４において、デバイスは、ダウンリンクリソースの第ｎのサブセット内で第ｎの電力制御コマンドを基地局から受信し、第ｎの電力制御コマンドは送信された第ｎのアップリンク送信に基づいている。一態様では、ｎは２よりも大きいかまたはそれに等しい。たとえば、上記で説明されたように、基地局５０２による電力制御コマンドを生成および送信するプロセス、ならびに電力制御コマンドに基づいてセグメントを送信するプロセスは、基地局５０２が送信ブロックのすべてのセグメントを受信するまで繰り返される。たとえば、再び図５を参照すると、デバイス５０４から（ｍ−２）個のセグメントを受信した後、５２６において、基地局５０２は、デバイス５０４からの第（ｍ−２）の送信に基づいて第（ｍ−１）の電力制御コマンド（ＰＣＣｍ−１）を生成し、（たとえば、ＤＬリソースのサブセット（ｍ−１）内で）デバイス５０４に第（ｍ−１）の電力制御コマンドを送信する。
【０１０６】
[00126]  図１７は、例示的な装置１７０２内の様々な手段／構成要素間のデータフローを示す概念データフロー図１７００である。装置はデバイスであり得る。装置は、受信構成要素１７０４と、送信構成要素１７０６と、データセグメント管理構成要素１７０８と、リソース管理構成要素（resource management component）１７１０と、ＵＬ通信管理構成要素１７１２と、電力制御管理構成要素（power control management component）１７１４とを含む。
【０１０７】
[00127]  データセグメント管理構成要素１７０８は、１７６２および１７６４において、デバイスへのデータセグメントの各々についてのサイズを、受信構成要素１７０４を介して受信する。データセグメント管理構成要素１７０８は、１７６６において、ＵＬ通信管理構成要素１７１２にデータセグメントの各々についてのサイズを転送する場合がある。データセグメント管理構成要素１７０８は、データの送信ブロックをデータセグメントに分割する。一態様では、データの送信ブロックは、データセグメントの各々についてのサイズに基づいてデータセグメントに分割される。一態様では、データセグメントの各々のサイズは、データトラフィック、デバイスへの経路損失、送信ブロックのサイズ、またはノイズレベルのうちの少なくとも１つに基づいて決定される。リソース管理構成要素１７１０は、１７６８および１７７０において、データセグメントを通信するためのアップリンクリソースに対する要求を、送信構成要素１７０６を介して送信する。リソース管理構成要素１７１０は、１７６２および１７７２において、デバイス（たとえば、装置１７０２）向けのダウンリンク許可を、受信構成要素１７０４を介して受信し、ダウンリンク許可は、データセグメントを送信するために割り振られたアップリンクリソースのサブセットと、それぞれのデータセグメント用の電力制御コマンドを受信するためのダウンリンクリソースのサブセットとをデバイスに示し、アップリンクリソースのサブセットはダウンリンクリソースのサブセットと並行しない。リソース管理構成要素１７１０は、１７７４において、ＵＬ通信管理構成要素１７１２にダウンリンク許可を転送する場合がある。一態様では、ダウンリンク許可は、アップリンクリソースの第１のサブセット内に第１のアップリンク送信用の電力制御コマンドを含む。
【０１０８】
[00128]  ＵＬ通信管理構成要素１７１２は、１７７６および１７７０において、受信されたダウンリンク許可に基づいて、アップリンクリソースの第１のサブセット内で第１のアップリンク送信を、基地局１７５０に送信構成要素１７０６を介して送信する。電力制御管理構成要素１７１４は、１７６２、１７７２、および１７７８において、ダウンリンクリソースの第１のサブセット内で第１の電力制御コマンドを、基地局１７５０から受信構成要素１７０４およびリソース管理構成要素１７１０を介して受信し、第１の電力制御コマンドは送信された第１のアップリンク送信に基づく。電力制御管理構成要素１７１４は、１７８０において、ＵＬ通信管理構成要素１７１２に第１の電力制御コマンドについての情報を転送する場合がある。ＵＬ通信管理構成要素１７１２はまた、１７８２において、受信構成要素１７０４から通信を受信する場合がある。
【０１０９】
[00129]  一態様によれば、ＵＬ通信管理構成要素１７１２は、１７７６および１７７０において、受信されたダウンリンク許可および受信された第１の電力制御コマンドに基づいて、アップリンクリソースの第２のサブセット内で第２のアップリンク送信を、基地局１７５０に送信構成要素１７０６を介して送信する。電力制御管理構成要素１７１４は、１７６２、１７７２、および１７７８において、ダウンリンクリソースの第２のサブセット内で第２の電力制御コマンドを、基地局１７５０から受信構成要素１７０４およびリソース管理構成要素１７１０を介して受信し、第２の電力制御コマンドは送信された第２のアップリンク送信に基づく。
【０１１０】
[00130]  一態様によれば、ＵＬ通信管理構成要素１７１２は、１７７６および１７７０において、受信されたダウンリンク許可および受信された第（ｎ−１）の電力制御コマンドに基づいて、アップリンクリソースの第ｎのサブセット内で第ｎのアップリンク送信を、基地局１７５０に送信構成要素１７０６を介して送信する。電力制御管理構成要素１７１４は、１７６２、１７７２、および１７７８において、ダウンリンクリソースの第ｎのサブセット内で第ｎの電力制御コマンドを、基地局１７５０から受信構成要素１７０４およびリソース管理構成要素１７１０を介して受信し、第ｎの電力制御コマンドは送信された第ｎのアップリンク送信に基づく。一態様では、ｎは２よりも大きいかまたはそれに等しい。
【０１１１】
[00131]  装置は、図１５および図１６の上述されたフローチャート内のアルゴリズムのブロックの各々を行うさらなる構成要素を含む場合がある。したがって、図１５および図１６の上述されたフローチャート内の各ブロックは、１つの構成要素によって行われる場合があり、装置は、それらの構成要素のうちの１つまたは複数を含む場合がある。構成要素は、述べられたプロセス／アルゴリズムを遂行するように具体的に構成された１つもしくは複数のハードウェア構成要素であるか、述べられたプロセス／アルゴリズムを行うように構成されたプロセッサによって実装されるか、プロセッサによる実装のためにコンピュータ可読媒体内に記憶されるか、またはそれらの何らかの組合せであり得る。
【０１１２】
[00132]  図１８は、処理システム１８１４を採用する装置１７０２’のためのハードウェア実装形態の一例を示す図１８００である。処理システム１８１４は、バス１８２４によって全体的に表されるバスアーキテクチャを用いて実装される場合がある。バス１８２４は、処理システム１８１４の具体的な適用例および全体的な設計制約に応じて、任意の数の相互接続バスとブリッジとを含む場合がある。バス１８２４は、プロセッサ１８０４によって表される１つまたは複数のプロセッサおよび／またはハードウェア構成要素と、構成要素１７０４、１７０６、１７０８、１７１０、１７１２、１７１４と、コンピュータ可読媒体／メモリ１８０６とを含む様々な回路を互いにリンクする。バス１８２４はまた、タイミングソース、周辺装置、電圧調整器、および電力管理回路などの、様々な他の回路をリンクする場合があるが、これらの回路は当技術分野においてよく知られており、したがって、これ以上説明されない。
【０１１３】
[00133]  処理システム１８１４は、トランシーバ１８１０に結合される場合がある。トランシーバ１８１０は、１つまたは複数のアンテナ１８２０に結合される。トランシーバ１８１０は、送信媒体を介して様々な他の装置と通信するための手段を提供する。トランシーバ１８１０は、１つまたは複数のアンテナ１８２０から信号を受信し、受信された信号から情報を抽出し、抽出された情報を処理システム１８１４、具体的には受信構成要素１７０４に供給する。加えて、トランシーバ１８１０は、処理システム１８１４、具体的には送信構成要素１７０６から情報を受信し、受信された情報に基づいて、１つまたは複数のアンテナ１８２０に印加されるべき信号を生成する。処理システム１８１４は、コンピュータ可読媒体／メモリ１８０６に結合されたプロセッサ１８０４を含む。プロセッサ１８０４は、コンピュータ可読媒体／メモリ１８０６に記憶されたソフトウェアの実行を含む全体的な処理に関与する。ソフトウェアは、プロセッサ１８０４によって実行されると、任意の特定の装置のための上記に記載された様々な機能を処理システム１８１４に行わさせる。コンピュータ可読媒体／メモリ１８０６は、ソフトウェアを実行するときにプロセッサ１８０４によって操作されるデータを記憶するために使用される場合もある。処理システム１８１４は、構成要素１７０４、１７０６、１７０８、１７１０、１７１２、１７１４のうちの少なくとも１つをさらに含む。それらの構成要素は、プロセッサ１８０４内で動作し、コンピュータ可読媒体／メモリ１８０６に常駐する／記憶されたソフトウェア構成要素、プロセッサ１８０４に結合された１つもしくは複数のハードウェア構成要素、またはそれらの何らかの組合せであり得る。処理システム１８１４は、ＵＥ３５０の構成要素の場合があり、メモリ３６０、ならびに／またはＴＸプロセッサ３６８、ＲＸプロセッサ３５６、およびコントローラ／プロセッサ３５９のうちの少なくとも１つを含む場合がある。
【０１１４】
[00134]  一構成では、ワイヤレス通信のための装置１７０２／１７０２’は、データの送信ブロックをデータセグメントに分割するための手段と、データセグメントを通信するためのアップリンクリソースに対する要求を送信するための手段と、デバイス（たとえば、装置１７０２／１７０２’）向けのダウンリンク許可を受信するための手段と、ダウンリンク許可は、データセグメントを送信するために割り振られたアップリンクリソースのサブセットと、それぞれのデータセグメント用の電力制御コマンドを受信するためのダウンリンクリソースのサブセットとをデバイスに示し、アップリンクリソースのサブセットはダウンリンクリソースのサブセットと並行しない、受信されたダウンリンク許可に基づいてアップリンクリソースの第１のサブセット内で第１のアップリンク送信を基地局に送信するための手段と、ダウンリンクリソースの第１のサブセット内で第１の電力制御コマンドを基地局から受信するための手段とを含み、第１の電力制御コマンドは送信された第１のアップリンク送信に基づく。装置１７０２／１７０２’は、受信されたダウンリンク許可および受信された第１の電力制御コマンドに基づいて、アップリンクリソースの第２のサブセット内で第２のアップリンク送信を基地局に送信するための手段と、ダウンリンクリソースの第２のサブセット内で第２の電力制御コマンドを基地局から受信するための手段とを含む場合があり、第２の電力制御コマンドは送信された第２のアップリンク送信に基づく。装置１７０２／１７０２’は、受信されたダウンリンク許可および受信された第（ｎ−１）の電力制御コマンドに基づいて、アップリンクリソースの第ｎのサブセット内で第ｎのアップリンク送信を基地局に送信するための手段と、ダウンリンクリソースの第ｎのサブセット内で第ｎの電力制御コマンドを基地局から受信するための手段とを含む場合があり、第ｎの電力制御コマンドは送信された第ｎのアップリンク送信に基づき、ｎは２よりも大きいかまたはそれに等しい。装置１７０２／１７０２’は、デバイスへのデータセグメントの各々についてのサイズを受信するための手段を含む場合があり、データの送信ブロックは、データセグメントの各々についてのサイズに基づいてデータセグメントに分割される。
【０１１５】
[00135]  上述の手段は、上述の手段によって列挙された機能を行うように構成された、装置１７０２、および／または装置１７０２’の処理システム１８１４の上述の構成要素のうちの１つまたは複数であり得る。上記で説明されたように、処理システム１８１４は、ＴＸプロセッサ３６８と、ＲＸプロセッサ３５６と、コントローラ／プロセッサ３５９とを含む場合がある。したがって、一構成では、上述された手段は、上述された手段によって列挙された機能を行うように構成された、ＴＸプロセッサ３６８、ＲＸプロセッサ３５６、およびコントローラ／プロセッサ３５９であり得る。
【０１１６】
[00136]  開示されたプロセス／フローチャート内のブロックの特定の順序または階層は、例示的な手法の一例であることを理解されたい。設計上の選好に基づいて、プロセス／フローチャート内のブロックの特定の順序または階層は、再配置される場合があることを理解されたい。さらに、いくつかのブロックは組み合わされるかまたは省略される場合がある。添付の方法クレームは、様々なブロックの要素を例示的な順序で提示したものであり、提示された特定の順序または階層に限定されるものではない。
【０１１７】
[00137]  前の説明は、いかなる当業者も本明細書に記載された様々な態様を実践することを可能にするために提供される。これらの態様に対する様々な修正は当業者には容易に明らかであり、本明細書において規定された一般的原理は他の態様に適用される場合がある。したがって、特許請求の範囲は、本明細書に示された態様に限定されるものではなく、クレーム文言に矛盾しない最大の範囲を与えられるべきであり、単数形の要素への言及は、そのように明記されていない限り、「唯一無二の」を意味するものではなく、「１つまたは複数の」を意味するものである。「例示的」という単語は、本明細書において、「例、事例、または例示として働くこと」を意味するために使用される。「例示的」として本明細書に記載されたいかなる態様も、必ずしも他の態様よりも好ましいか、または有利であると解釈されるべきではない。別段に明記されていない限り、「いくつかの」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含む場合がある。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣの場合があり、任意のそのような組合せは、Ａ、Ｂ、またはＣのうちの１つまたは複数のメンバを含む場合がある。当業者には既知であるか、または後で既知になる、本開示全体にわたって記載された様々な態様の要素に対するすべての構造的および機能的均等物は、参照により本明細書に明確に組み込まれ、特許請求の範囲によって包含されるものである。その上、本明細書で開示されたいかなることも、そのような開示が特許請求の範囲に明示的に列挙されているか否かにかかわらず、公に供されるものではない。「モジュール」、「機構」、「要素」、「デバイス」などの単語は、「手段」という単語の代用ではない場合がある。したがって、いかなるクレーム要素も、その要素が「のための手段」という語句を使用して明確に列挙されていない限り、ミーンズプラスファンクションとして解釈されるべきではない。
以下に本願の出願当初の特許請求の範囲に記載された発明を付記する。
［Ｃ１］  基地局のワイヤレス通信の方法であって、
デバイス向けのダウンリンク許可を生成することと、前記ダウンリンク許可が、データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、
前記デバイスに前記ダウンリンク許可を送信することと
を備える、方法。
［Ｃ２］  前記送信されたダウンリンク許可に基づいて、前記アップリンクリソースの第１のサブセット内で第１のアップリンク送信を前記デバイスから受信することと、
前記受信された第１のアップリンク送信に基づいて、第１の電力制御コマンドを生成することと、
前記ダウンリンクリソースの第１のサブセット内で前記第１の電力制御コマンドを前記デバイスに送信することと
をさらに備える、Ｃ１に記載の方法。
［Ｃ３］  前記送信されたダウンリンク許可および前記送信された第１の電力制御コマンドに基づいて、前記アップリンクリソースの第２のサブセット内で第２のアップリンク送信を前記デバイスから受信することと、
前記受信された第２のアップリンク送信に基づいて、第２の電力制御コマンドを生成することと、
前記ダウンリンクリソースの第２のサブセット内で前記第２の電力制御コマンドを前記デバイスに送信することと
をさらに備える、Ｃ２に記載の方法。
［Ｃ４］  前記送信されたダウンリンク許可および送信された第（ｎ−１）の電力制御コマンドに基づいて、前記アップリンクリソースの第ｎのサブセット内で第ｎのアップリンク送信を前記デバイスから受信することと、
前記受信された第ｎのアップリンク送信に基づいて、第ｎの電力制御コマンドを生成することと、
前記ダウンリンクリソースの第ｎのサブセット内で前記第ｎの電力制御コマンドを前記デバイスに送信することと
をさらに備え、
ｎが２よりも大きいかまたはそれに等しい、
Ｃ２に記載の方法。
［Ｃ５］  前記ダウンリンク許可が、前記アップリンクリソースの第１のサブセット内に第１のアップリンク送信用の電力制御コマンドを含む、Ｃ１に記載の方法。
［Ｃ６］  前記データセグメントの各々についてのサイズを決定すること
をさらに備え、前記アップリンクリソースの前記サブセットが、前記データセグメントの各々についての前記サイズに基づいてデータセグメントを送信するために割り振られる、Ｃ１に記載の方法。
［Ｃ７］  前記データセグメントの各々の前記サイズが、データトラフィック、前記デバイスへの経路損失、送信ブロックのサイズ、またはノイズレベルのうちの少なくとも１つに基づいて決定される、Ｃ６に記載の方法。
［Ｃ８］  第２のデバイス向けの第２のダウンリンク許可を生成することと、前記ダウンリンク許可が、第２のデータセグメントを送信するための前記アップリンクリソースの他のサブセットと、前記第２のデバイス向けの電力制御コマンドを受信するための前記ダウンリンクリソースの他のサブセットとを前記第２のデバイスに示し、前記アップリンクリソースの前記他のサブセットが、前記ダウンリンクリソースの前記他のサブセットと並行せず、前記アップリンクリソースの前記サブセットと並行しない、
前記第２のデバイスに前記第２のダウンリンク許可を送信することと
をさらに備える、Ｃ１に記載の方法。
［Ｃ９］  前記送信されたダウンリンク許可に基づいて、前記アップリンクリソースの第１のサブセット内で第１のアップリンク送信を前記デバイスから受信することと、
前記受信された第１のアップリンク送信に基づいて、前記デバイス向けの第１の電力制御コマンドを生成することと、
前記送信された第２のダウンリンク許可に基づいて、前記アップリンクリソースの第２のサブセット内で第２のアップリンク送信を前記第２のデバイスから受信しながら、前記ダウンリンクリソースの前記第１のサブセット内で前記第１の電力制御コマンドを前記デバイスに送信することと
をさらに備える、Ｃ８に記載の方法。
［Ｃ１０］  前記受信された第２のアップリンク送信に基づいて、前記第２のデバイス向けの第２の電力制御コマンドを生成することと、
前記送信されたダウンリンク許可および前記送信された第１の電力制御コマンドに基づいて、前記アップリンクリソースの第３のサブセット内で第３のアップリンク送信を前記デバイスから受信しながら、前記ダウンリンクリソースの第２のサブセット内で前記第２のデバイス向けの前記第２の電力制御コマンドを前記第２のデバイスに送信することと
をさらに備える、Ｃ９に記載の方法。
［Ｃ１１］  前記受信された第３のアップリンク送信に基づいて、前記デバイス向けの第３の電力制御コマンドを生成することと、
前記送信された第２のダウンリンク許可および前記送信された第２の電力制御コマンドに基づいて、前記アップリンクリソースの第４のサブセット内で第４のアップリンク送信を前記第２のデバイスから受信しながら、前記ダウンリンクリソースの第３のサブセット内で前記デバイス向けの前記第３の電力制御コマンドを前記デバイスに送信することと
をさらに備える、Ｃ１０に記載の方法。
［Ｃ１２］  前記受信された第ｎのアップリンク送信に基づいて、前記第２のデバイス向けの第ｎの電力制御コマンドを生成することと、
前記送信されたダウンリンク許可および送信された第（ｎ−１）の電力制御コマンドに基づいて、前記アップリンクリソースの第（ｎ＋１）のサブセット内で第（ｎ＋１）のアップリンク送信を前記デバイスから受信しながら、前記ダウンリンクリソースの第ｎのサブセット内で前記第２のデバイス向けの前記第ｎの電力制御コマンドを前記第２のデバイスに送信することと、
前記受信された第（ｎ＋１）のアップリンク送信に基づいて、前記デバイス向けの第（ｎ＋１）の電力制御コマンドを生成することと、
前記送信されたダウンリンク許可および前記送信された第ｎの電力制御コマンドに基づいて、前記アップリンクリソースの第（ｎ＋２）のサブセット内で第（ｎ＋２）のアップリンク送信を前記第２のデバイスから受信しながら、前記ダウンリンクリソースの第（ｎ＋１）のサブセット内で前記デバイス向けの前記第（ｎ＋１）の電力制御コマンドを前記デバイスに送信することと
をさらに備え、
ｎが２よりも大きいかまたはそれに等しい偶数である、
Ｃ９に記載の方法。
［Ｃ１３］  デバイスのワイヤレス通信の方法であって、
データの送信ブロックをデータセグメントに分割することと、
前記データセグメントを通信するためのアップリンクリソースに対する要求を送信することと、
前記デバイス向けのダウンリンク許可を受信することと
を備え、前記ダウンリンク許可が、前記データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、方法。
［Ｃ１４］  前記受信されたダウンリンク許可に基づいて、前記アップリンクリソースの第１のサブセット内で第１のアップリンク送信を基地局に送信することと、
前記ダウンリンクリソースの第１のサブセット内で第１の電力制御コマンドを前記基地局から受信することと
をさらに備え、前記第１の電力制御コマンドが前記送信された第１のアップリンク送信に基づく、Ｃ１３に記載の方法。
［Ｃ１５］  前記受信されたダウンリンク許可および前記受信された第１の電力制御コマンドに基づいて、前記アップリンクリソースの第２のサブセット内で第２のアップリンク送信を前記基地局に送信することと、
前記ダウンリンクリソースの第２のサブセット内で第２の電力制御コマンドを前記基地局から受信することと
をさらに備え、前記第２の電力制御コマンドが前記送信された第２のアップリンク送信に基づく、Ｃ１４に記載の方法。
［Ｃ１６］  前記受信されたダウンリンク許可および受信された第（ｎ−１）の電力制御コマンドに基づいて、前記アップリンクリソースの第ｎのサブセット内で第ｎのアップリンク送信を前記基地局に送信することと、
前記ダウンリンクリソースの第ｎのサブセット内で前記第ｎの電力制御コマンドを前記基地局から受信することと
をさらに備え、前記第ｎの電力制御コマンドが前記送信された第ｎのアップリンク送信に基づき、
ｎが２よりも大きいかまたはそれに等しい、
Ｃ１４に記載の方法。
［Ｃ１７］  前記ダウンリンク許可が、前記アップリンクリソースの第１のサブセット内に第１のアップリンク送信用の電力制御コマンドを含む、Ｃ１３に記載の方法。
［Ｃ１８］  前記デバイスへの前記データセグメントの各々についてのサイズを受信すること
をさらに備え、データの前記送信ブロックが、前記データセグメントの各々についての前記サイズに基づいて前記データセグメントに分割される、Ｃ１３に記載の方法。
［Ｃ１９］  前記データセグメントの各々の前記サイズが、データトラフィック、前記デバイスへの経路損失、送信ブロックのサイズ、またはノイズレベルのうちの少なくとも１つに基づいて決定される、Ｃ１８に記載の方法。
［Ｃ２０］  ワイヤレス通信のための基地局であって、
デバイス向けのダウンリンク許可を生成するための手段と、前記ダウンリンク許可が、データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、
前記デバイスに前記ダウンリンク許可を送信するための手段と
を備える、基地局。
［Ｃ２１］  前記送信されたダウンリンク許可に基づいて、前記アップリンクリソースの第１のサブセット内で第１のアップリンク送信を前記デバイスから受信するための手段と、
前記受信された第１のアップリンク送信に基づいて、第１の電力制御コマンドを生成するための手段と、
前記ダウンリンクリソースの第１のサブセット内で前記第１の電力制御コマンドを前記デバイスに送信するための手段と
をさらに備える、Ｃ２０に記載の基地局。
［Ｃ２２］  前記送信されたダウンリンク許可および前記送信された第１の電力制御コマンドに基づいて、前記アップリンクリソースの第２のサブセット内で第２のアップリンク送信を前記デバイスから受信するための手段と、
前記受信された第２のアップリンク送信に基づいて、第２の電力制御コマンドを生成するための手段と、
前記ダウンリンクリソースの第２のサブセット内で前記第２の電力制御コマンドを前記デバイスに送信するための手段と
をさらに備える、Ｃ２１に記載の基地局。
［Ｃ２３］  前記送信されたダウンリンク許可および送信された第（ｎ−１）の電力制御コマンドに基づいて、前記アップリンクリソースの第ｎのサブセット内で第ｎのアップリンク送信を前記デバイスから受信するための手段と、
前記受信された第ｎのアップリンク送信に基づいて、第ｎの電力制御コマンドを生成するための手段と、
前記ダウンリンクリソースの第ｎのサブセット内で前記第ｎの電力制御コマンドを前記デバイスに送信するための手段と
をさらに備え、
ｎが２よりも大きいかまたはそれに等しい、
Ｃ２１に記載の基地局。
［Ｃ２４］  前記ダウンリンク許可が、前記アップリンクリソースの第１のサブセット内に第１のアップリンク送信用の電力制御コマンドを含む、Ｃ２０に記載の基地局。
［Ｃ２５］  前記データセグメントの各々についてのサイズを決定するための手段
をさらに備え、前記アップリンクリソースの前記サブセットが、前記データセグメントの各々についての前記サイズに基づいてデータセグメントを送信するために割り振られる、Ｃ２０に記載の基地局。
［Ｃ２６］  前記データセグメントの各々の前記サイズが、データトラフィック、前記デバイスへの経路損失、送信ブロックのサイズ、またはノイズレベルのうちの少なくとも１つに基づいて決定される、Ｃ２５に記載の基地局。
［Ｃ２７］  第２のデバイス向けの第２のダウンリンク許可を生成するための手段と、前記ダウンリンク許可が、第２のデータセグメントを送信するための前記アップリンクリソースの他のサブセットと、前記第２のデバイス向けの電力制御コマンドを受信するための前記ダウンリンクリソースの他のサブセットとを前記第２のデバイスに示し、前記アップリンクリソースの前記他のサブセットが、前記ダウンリンクリソースの前記他のサブセットと並行せず、前記アップリンクリソースの前記サブセットと並行しない、
前記第２のデバイスに前記第２のダウンリンク許可を送信するための手段と
をさらに備える、Ｃ２０に記載の基地局。
［Ｃ２８］  前記送信されたダウンリンク許可に基づいて、前記アップリンクリソースの第１のサブセット内で第１のアップリンク送信を前記デバイスから受信するための手段と、
前記受信された第１のアップリンク送信に基づいて、前記デバイス向けの第１の電力制御コマンドを生成するための手段と、
前記送信された第２のダウンリンク許可に基づいて、前記アップリンクリソースの第２のサブセット内で第２のアップリンク送信を前記第２のデバイスから受信しながら、前記ダウンリンクリソースの前記第１のサブセット内で前記第１の電力制御コマンドを前記デバイスに送信するための手段と
をさらに備える、Ｃ２７に記載の基地局。
［Ｃ２９］  前記受信された第２のアップリンク送信に基づいて、前記第２のデバイス向けの第２の電力制御コマンドを生成するための手段と、
前記送信されたダウンリンク許可および前記送信された第１の電力制御コマンドに基づいて、前記アップリンクリソースの第３のサブセット内で第３のアップリンク送信を前記デバイスから受信しながら、前記ダウンリンクリソースの第２のサブセット内で前記第２のデバイス向けの前記第２の電力制御コマンドを前記第２のデバイスに送信するための手段と
をさらに備える、Ｃ２８に記載の基地局。
［Ｃ３０］  前記受信された第３のアップリンク送信に基づいて、前記デバイス向けの第３の電力制御コマンドを生成するための手段と、
前記送信された第２のダウンリンク許可および前記送信された第２の電力制御コマンドに基づいて、前記アップリンクリソースの第４のサブセット内で第４のアップリンク送信を前記第２のデバイスから受信しながら、前記ダウンリンクリソースの第３のサブセット内で前記デバイス向けの前記第３の電力制御コマンドを前記デバイスに送信するための手段と
をさらに備える、Ｃ２９に記載の基地局。
［Ｃ３１］  前記受信された第ｎのアップリンク送信に基づいて、前記第２のデバイス向けの第ｎの電力制御コマンドを生成するための手段と、
前記送信されたダウンリンク許可および送信された第（ｎ−１）の電力制御コマンドに基づいて、前記アップリンクリソースの第（ｎ＋１）のサブセット内で第（ｎ＋１）のアップリンク送信を前記デバイスから受信しながら、前記ダウンリンクリソースの第ｎのサブセット内で前記第２のデバイス向けの前記第ｎの電力制御コマンドを前記第２のデバイスに送信するための手段と、
前記受信された第（ｎ＋１）のアップリンク送信に基づいて、前記デバイス向けの第（ｎ＋１）の電力制御コマンドを生成するための手段と、
前記送信されたダウンリンク許可および前記送信された第ｎの電力制御コマンドに基づいて、前記アップリンクリソースの第（ｎ＋２）のサブセット内で第（ｎ＋２）のアップリンク送信を前記第２のデバイスから受信しながら、前記ダウンリンクリソースの第（ｎ＋１）のサブセット内で前記デバイス向けの前記第（ｎ＋１）の電力制御コマンドを前記デバイスに送信するための手段と
をさらに備え、
ｎが２よりも大きいかまたはそれに等しい偶数である、
Ｃ２８に記載の基地局。
［Ｃ３２］  ワイヤレス通信のためのデバイスであって、
データの送信ブロックをデータセグメントに分割するための手段と、
前記データセグメントを通信するためのアップリンクリソースに対する要求を送信するための手段と、
前記デバイス向けのダウンリンク許可を受信するための手段と
を備え、前記ダウンリンク許可が、前記データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、デバイス。
［Ｃ３３］  前記受信されたダウンリンク許可に基づいて、前記アップリンクリソースの第１のサブセット内で第１のアップリンク送信を基地局に送信するための手段と、
前記ダウンリンクリソースの第１のサブセット内で第１の電力制御コマンドを前記基地局から受信するための手段と
をさらに備え、前記第１の電力制御コマンドが前記送信された第１のアップリンク送信に基づく、Ｃ３２に記載のデバイス。
［Ｃ３４］  前記受信されたダウンリンク許可および前記受信された第１の電力制御コマンドに基づいて、前記アップリンクリソースの第２のサブセット内で第２のアップリンク送信を前記基地局に送信するための手段と、
前記ダウンリンクリソースの第２のサブセット内で第２の電力制御コマンドを前記基地局から受信するための手段と
をさらに備え、前記第２の電力制御コマンドが前記送信された第２のアップリンク送信に基づく、Ｃ３３に記載のデバイス。
［Ｃ３５］  前記受信されたダウンリンク許可および受信された第（ｎ−１）の電力制御コマンドに基づいて、前記アップリンクリソースの第ｎのサブセット内で第ｎのアップリンク送信を前記基地局に送信するための手段と、
前記ダウンリンクリソースの第ｎのサブセット内で前記第ｎの電力制御コマンドを前記基地局から受信するための手段と
をさらに備え、前記第ｎの電力制御コマンドが前記送信された第ｎのアップリンク送信に基づき、
ｎが２よりも大きいかまたはそれに等しい、
Ｃ３３に記載のデバイス。
［Ｃ３６］  前記ダウンリンク許可が、前記アップリンクリソースの第１のサブセット内に第１のアップリンク送信用の電力制御コマンドを含む、Ｃ３２に記載のデバイス。
［Ｃ３７］  前記デバイスへの前記データセグメントの各々についてのサイズを受信するための手段
をさらに備え、データの前記送信ブロックが、前記データセグメントの各々についての前記サイズに基づいて前記データセグメントに分割される、Ｃ３２に記載のデバイス。
［Ｃ３８］  前記データセグメントの各々の前記サイズが、データトラフィック、前記デバイスへの経路損失、送信ブロックのサイズ、またはノイズレベルのうちの少なくとも１つに基づいて決定される、Ｃ３７に記載のデバイス。
［Ｃ３９］  ワイヤレス通信のための基地局であって、
メモリと、
前記メモリに結合された少なくとも１つのプロセッサと
を備え、前記少なくとも１つのプロセッサが、
デバイス向けのダウンリンク許可を生成することと、前記ダウンリンク許可が、データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、
前記デバイスに前記ダウンリンク許可を送信することと
を行うように構成される、基地局。
［Ｃ４０］  前記少なくとも１つのプロセッサが、
前記送信されたダウンリンク許可に基づいて、前記アップリンクリソースの第１のサブセット内で第１のアップリンク送信を前記デバイスから受信することと、
前記受信された第１のアップリンク送信に基づいて、第１の電力制御コマンドを生成することと、
前記ダウンリンクリソースの第１のサブセット内で前記第１の電力制御コマンドを前記デバイスに送信することと
を行うようにさらに構成される、Ｃ３９に記載の基地局。
［Ｃ４１］  前記少なくとも１つのプロセッサが、
前記送信されたダウンリンク許可および前記送信された第１の電力制御コマンドに基づいて、前記アップリンクリソースの第２のサブセット内で第２のアップリンク送信を前記デバイスから受信することと、
前記受信された第２のアップリンク送信に基づいて、第２の電力制御コマンドを生成することと、
前記ダウンリンクリソースの第２のサブセット内で前記第２の電力制御コマンドを前記デバイスに送信することと
を行うようにさらに構成される、Ｃ４０に記載の基地局。
［Ｃ４２］  前記少なくとも１つのプロセッサが、
前記送信されたダウンリンク許可および送信された第（ｎ−１）の電力制御コマンドに基づいて、前記アップリンクリソースの第ｎのサブセット内で第ｎのアップリンク送信を前記デバイスから受信することと、
前記受信された第ｎのアップリンク送信に基づいて、第ｎの電力制御コマンドを生成することと、
前記ダウンリンクリソースの第ｎのサブセット内で前記第ｎの電力制御コマンドを前記デバイスに送信することと
を行うようにさらに構成され、
ｎが２よりも大きいかまたはそれに等しい、
Ｃ４０に記載の基地局。
［Ｃ４３］  前記ダウンリンク許可が、前記アップリンクリソースの第１のサブセット内に第１のアップリンク送信用の電力制御コマンドを含む、Ｃ３９に記載の基地局。
［Ｃ４４］  前記少なくとも１つのプロセッサが、
前記データセグメントの各々についてのサイズを決定すること
を行うようにさらに構成され、前記アップリンクリソースの前記サブセットが、前記データセグメントの各々についての前記サイズに基づいてデータセグメントを送信するために割り振られる、Ｃ３９に記載の基地局。
［Ｃ４５］  前記データセグメントの各々の前記サイズが、データトラフィック、前記デバイスへの経路損失、送信ブロックのサイズ、またはノイズレベルのうちの少なくとも１つに基づいて決定される、Ｃ４４に記載の基地局。
［Ｃ４６］  前記少なくとも１つのプロセッサが、
第２のデバイス向けの第２のダウンリンク許可を生成することと、前記ダウンリンク許可が、第２のデータセグメントを送信するための前記アップリンクリソースの他のサブセットと、前記第２のデバイス向けの電力制御コマンドを受信するための前記ダウンリンクリソースの他のサブセットとを前記第２のデバイスに示し、前記アップリンクリソースの前記他のサブセットが、前記ダウンリンクリソースの前記他のサブセットと並行せず、前記アップリンクリソースの前記サブセットと並行しない、
前記第２のデバイスに前記第２のダウンリンク許可を送信することと
を行うようにさらに構成される、Ｃ３９に記載の基地局。
［Ｃ４７］  前記少なくとも１つのプロセッサが、
前記送信されたダウンリンク許可に基づいて、前記アップリンクリソースの第１のサブセット内で第１のアップリンク送信を前記デバイスから受信することと、
前記受信された第１のアップリンク送信に基づいて、前記デバイス向けの第１の電力制御コマンドを生成することと、
前記送信された第２のダウンリンク許可に基づいて、前記アップリンクリソースの第２のサブセット内で第２のアップリンク送信を前記第２のデバイスから受信しながら、前記ダウンリンクリソースの前記第１のサブセット内で前記第１の電力制御コマンドを前記デバイスに送信することと
を行うようにさらに構成される、Ｃ４６に記載の基地局。
［Ｃ４８］  前記少なくとも１つのプロセッサが、
前記受信された第２のアップリンク送信に基づいて、前記第２のデバイス向けの第２の電力制御コマンドを生成することと、
前記送信されたダウンリンク許可および前記送信された第１の電力制御コマンドに基づいて、前記アップリンクリソースの第３のサブセット内で第３のアップリンク送信を前記デバイスから受信しながら、前記ダウンリンクリソースの第２のサブセット内で前記第２のデバイス向けの前記第２の電力制御コマンドを前記第２のデバイスに送信することと
を行うようにさらに構成される、Ｃ４７に記載の基地局。
［Ｃ４９］  前記少なくとも１つのプロセッサが、
前記受信された第３のアップリンク送信に基づいて、前記デバイス向けの第３の電力制御コマンドを生成することと、
前記送信された第２のダウンリンク許可および前記送信された第２の電力制御コマンドに基づいて、前記アップリンクリソースの第４のサブセット内で第４のアップリンク送信を前記第２のデバイスから受信しながら、前記ダウンリンクリソースの第３のサブセット内で前記デバイス向けの前記第３の電力制御コマンドを前記デバイスに送信することと
を行うようにさらに構成される、Ｃ４８に記載の基地局。
［Ｃ５０］  前記少なくとも１つのプロセッサが、
前記受信された第ｎのアップリンク送信に基づいて、前記第２のデバイス向けの第ｎの電力制御コマンドを生成することと、
前記送信されたダウンリンク許可および送信された第（ｎ−１）の電力制御コマンドに基づいて、前記アップリンクリソースの第（ｎ＋１）のサブセット内で第（ｎ＋１）のアップリンク送信を前記デバイスから受信しながら、前記ダウンリンクリソースの第ｎのサブセット内で前記第２のデバイス向けの前記第ｎの電力制御コマンドを前記第２のデバイスに送信することと、
前記受信された第（ｎ＋１）のアップリンク送信に基づいて、前記デバイス向けの第（ｎ＋１）の電力制御コマンドを生成することと、
前記送信されたダウンリンク許可および前記送信された第ｎの電力制御コマンドに基づいて、前記アップリンクリソースの第（ｎ＋２）のサブセット内で第（ｎ＋２）のアップリンク送信を前記第２のデバイスから受信しながら、前記ダウンリンクリソースの第（ｎ＋１）のサブセット内で前記デバイス向けの前記第（ｎ＋１）の電力制御コマンドを前記デバイスに送信することと
を行うようにさらに構成され、
ｎが２よりも大きいかまたはそれに等しい偶数である、
Ｃ４７に記載の基地局。
［Ｃ５１］  ワイヤレス通信のためのデバイスであって、
メモリと、
前記メモリに結合された少なくとも１つのプロセッサと
を備え、前記少なくとも１つのプロセッサが、
データの送信ブロックをデータセグメントに分割することと、
前記データセグメントを通信するためのアップリンクリソースに対する要求を送信することと、
前記デバイス向けのダウンリンク許可を受信することと
行うように構成され、前記ダウンリンク許可が、前記データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、デバイス。
［Ｃ５２］  前記少なくとも１つのプロセッサが、
前記受信されたダウンリンク許可に基づいて、前記アップリンクリソースの第１のサブセット内で第１のアップリンク送信を基地局に送信することと、
前記ダウンリンクリソースの第１のサブセット内で第１の電力制御コマンドを前記基地局から受信することと
を行うようにさらに構成され、前記第１の電力制御コマンドが前記送信された第１のアップリンク送信に基づく、Ｃ５１に記載のデバイス。
［Ｃ５３］  前記少なくとも１つのプロセッサが、
前記受信されたダウンリンク許可および前記受信された第１の電力制御コマンドに基づいて、前記アップリンクリソースの第２のサブセット内で第２のアップリンク送信を前記基地局に送信することと、
前記ダウンリンクリソースの第２のサブセット内で第２の電力制御コマンドを前記基地局から受信することと
を行うようにさらに構成され、前記第２の電力制御コマンドが前記送信された第２のアップリンク送信に基づく、Ｃ５２に記載のデバイス。
［Ｃ５４］  前記少なくとも１つのプロセッサが、
前記受信されたダウンリンク許可および受信された第（ｎ−１）の電力制御コマンドに基づいて、前記アップリンクリソースの第ｎのサブセット内で第ｎのアップリンク送信を前記基地局に送信することと、
前記ダウンリンクリソースの第ｎのサブセット内で前記第ｎの電力制御コマンドを前記基地局から受信することと
を行うようにさらに構成され、前記第ｎの電力制御コマンドが前記送信された第ｎのアップリンク送信に基づき、
ｎが２よりも大きいかまたはそれに等しい、Ｃ５２に記載のデバイス。
［Ｃ５５］  前記ダウンリンク許可が、前記アップリンクリソースの第１のサブセット内に第１のアップリンク送信用の電力制御コマンドを含む、Ｃ５１に記載のデバイス。
［Ｃ５６］  前記少なくとも１つのプロセッサが、
前記デバイスへの前記データセグメントの各々についてのサイズを受信すること
を行うようにさらに構成され、データの前記送信ブロックが、前記データセグメントの各々についての前記サイズに基づいて前記データセグメントに分割される、Ｃ５１に記載のデバイス。
［Ｃ５７］  前記データセグメントの各々の前記サイズが、データトラフィック、前記デバイスへの経路損失、送信ブロックのサイズ、またはノイズレベルのうちの少なくとも１つに基づいて決定される、Ｃ５６に記載のデバイス。
［Ｃ５８］  基地局用のコンピュータ実行可能コードを記憶するコンピュータ可読媒体であって、
デバイス向けのダウンリンク許可を生成することと、前記ダウンリンク許可が、データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、
前記デバイスに前記ダウンリンク許可を送信することと
を行うためのコード
を備える、コンピュータ可読媒体。
［Ｃ５９］  デバイス用のコンピュータ実行可能コードを記憶するコンピュータ可読媒体であって、
データの送信ブロックをデータセグメントに分割することと、
前記データセグメントを通信するためのアップリンクリソースに対する要求を送信することと、
前記デバイス向けのダウンリンク許可を受信することと
を行うためのコード
を備え、前記ダウンリンク許可が、前記データセグメントを送信するために割り振られたアップリンクリソースのサブセットと、それぞれのデータセグメント用の電力制御コマンドを受信するためのダウンリンクリソースのサブセットとを前記デバイスに示し、前記アップリンクリソースの前記サブセットが前記ダウンリンクリソースの前記サブセットと並行しない、コンピュータ可読媒体。
【図１】
0006466591.tif 000002
【図２Ａ】
0006466591.tif 000003
【図２Ｂ】
0006466591.tif 000004
【図２Ｃ】
0006466591.tif 000005
【図２Ｄ】
0006466591.tif 000006
【図３】
0006466591.tif 000007
【図４】
0006466591.tif 000008
【図５】
0006466591.tif 000009
【図６】
0006466591.tif 000010
【図７】
0006466591.tif 000011
【図８】
0006466591.tif 000012
【図９】
0006466591.tif 000013
【図１０Ａ】
0006466591.tif 000014
【図１０Ｂ】
0006466591.tif 000015
【図１１】
0006466591.tif 000016
【図１２Ａ】
0006466591.tif 000017
【図１２Ｂ】
0006466591.tif 000018
【図１３】
0006466591.tif 000019
【図１４】
0006466591.tif 000020
【図１５】
0006466591.tif 000021
【図１６Ａ】
0006466591.tif 000022
【図１６Ｂ】
0006466591.tif 000023
【図１７】
0006466591.tif 000024
【図１８】
0006466591.tif 000025